(57)【要約】  外科用装置は、第１の顎部と、第１及び第２の顎部が面内で整列する第１の位置と第２の顎部が面に対応して非平行な第２の位置との間で、第１の顎部に対して移動可能な第２の顎部とを有する。外科用装置は、第１の顎部内に配置された例えば切断及び／またはステープル留め要素など外科用部材と、外科用部材を面に平行な方向で相対移動させるように構成された第２の駆動部とを有してもよい。第１及び第２の顎部は、第１及び第２の位置の間で第２の顎部を移動させるように構成されたカム装置を有してもよい。カム装置は、第１及び第２の顎部の一方または両方の少なくとも一部に沿って配置されたチャネルと、チャネル内に配置されたボールベアリングとを有してもよい。
2009502351.tif 000002
【特許請求の範囲】
【請求項１】
第１の顎部と、
前記第１の顎部に連結され、面内で閉位置と中間開位置との間で前記第１の顎部に関して移動可能であり、前記中間開位置と全開位置との間で前記第１の顎部に関して前記面内に位置する軸線回りで回転するようにさらに移動可能な第２の顎部と、を備える外科用装置。
【請求項２】
前記中間開位置と前記全開位置との間で、前記第２の顎部が、前記面に平行な方向で前記第１の顎部に関してさらに移動可能である、請求項１に記載の装置。
【請求項３】
前記第１の顎部及び前記第２の顎部を相対移動させるように構成された第１の駆動部をさらに備える、請求項２に記載の装置。
【請求項４】
前記第１の駆動部が、前記面に対応して平行及び非平行のいずれかで配置された回転軸線回りで回転可能な駆動軸と係合するように構成された、請求項２に記載の装置。
【請求項５】
前記第１の顎部の中に配置された外科用部材と、
前記外科用部材を前記面に平行な方向で相対移動させるように構成された第２の駆動部と、をさらに備える、請求項１に記載の装置。
【請求項６】
前記第２の駆動部が、前記面に対応して非平行に配置された回転軸線回りで回転可能な第２の駆動軸と係合するように構成された、請求項５に記載の装置。
【請求項７】
前記第２の駆動部が、前記面に対応して平行に配置された回転軸線回りで回転可能な第２の駆動軸と係合するように構成された、請求項５に記載の装置。
【請求項８】
前記外科用部材が、切断要素と、ステープル留め要素と、切断要素及びステープル留め要素が取り付けられるスラストプレートと、の１つを有する、請求項５に記載の装置。
【請求項９】
前記第１の回転可能な駆動軸を回転させるように構成された電気機械駆動部をさらに備える、請求項３に記載の装置。
【請求項１０】
前記第１の回転可能な駆動軸の前記回転軸線が、前記第１及び第２の顎部の前記面に垂直である、請求項３に記載の装置。
【請求項１１】
前記第１の回転可能な駆動軸が、第１の方向に回転して前記顎部を延長し、前記第１の方向とは反対の第２の方向に回転して前記顎部を閉じる、請求項３に記載の装置。
【請求項１２】
前記第１の駆動部が、少なくとも平歯車と、互いに対して回転して噛合する関係のウォーム及びウォームギアと、一端部で前記ウォームギアに固定的に接続されて前記第２の顎部の内側がネジ切りされたボアと係合している外側がネジ切りされたネジとを有し、
それにより、前記ギアの回転によって前記第１の顎部及び第２の顎部が相対移動する、請求項２に記載の装置。
【請求項１３】
前記第２の回転可能な駆動軸が、第１の方向に回転して前記外科用部材を延長して前記第１の方向とは反対の第２の方向に回転して前記外科用部材を後退させる、請求項６に記載の装置。
【請求項１４】
前記第２の駆動部が、少なくとも互いに対してかつ一対の追加のウォームギアに関して回転して噛合する関係の平歯車及びウォームを有し、
前記一対の追加のウォームギアそれぞれが、前記外科用部材に固定的に接続されて一対の外側がネジ切りされたネジの１つと係合し、中央に配置されて内側がネジ切りされたボアを有し、
それにより、前記ギアの回転によって前記外科用部材が相対移動する、請求項５に記載の装置。
【請求項１５】
前記第１の駆動部を駆動するように適合された前記第１の回転可能な駆動軸と、第２の駆動部を駆動するように適合された第２の回転可能な駆動軸とを有する電気機械駆動部をさらに備える、請求項３に記載の装置。
【請求項１６】
前記第２の顎部の前記内側がネジ切りされたボアがアーム内に配置され、
前記アームが、前記第１の顎部に取り付けられたスリーブ内で長手方向に移動するように構成され、
前記スリーブ及び前記アームが、前記第２の顎部を前記第１及び第２の位置の間で移動させるように構成されたカム装置を有する、請求項１２に記載の装置。
【請求項１７】
前記カム装置が、前記アーム及び前記スリーブの少なくとも１つに沿って配置されたチャネルと、前記チャネル内に配置されたカムフォロワとを有する、請求項１６に記載の装置。
【請求項１８】
回転軸線の周りを回転可能な第１の駆動軸と、
第１の顎部と、
前記第１の顎部に連結され、前記第１の駆動軸を面内で閉位置と中間開位置との間で回転させることによって前記第１の顎部に対して移動可能であり、前記面内に位置する軸線回りで少なくとも回転するように、前記中間開位置と全開位置との間で前記第１の顎部に対してさらに移動可能な第２の顎部と、を備える外科用装置。
【請求項１９】
前記中間開位置と前記全開位置との間で、前記第２の顎部が、前記面に平行な方向で前記第１の顎部に対してさらに移動可能である、請求項１８に記載の装置。
【請求項２０】
前記第１の顎部及び前記第２の顎部を相対移動させるように構成された第１の駆動部をさらに備える、請求項１９に記載の装置。
【請求項２１】
前記第１の駆動部が前記第１の駆動軸を係合するように構成され、前記回転軸線が前記面に対応して平行及び非平行のいずれかで配置された、請求項１９に記載の装置。
【請求項２２】
前記第１の顎部の中に配置された外科用部材と、
前記外科用部材を前記面と平行な方向で相対移動させるように構成された第２の駆動部とをさらに備える、請求項１８に記載の装置。
【請求項２３】
前記第２の駆動部が、前記面に対応して非平行に配置された回転軸線回りで回転可能な第２の駆動軸を係合するように構成された、請求項２２に記載の装置。
【請求項２４】
前記第２の駆動部が、前記面に対応して平行に配置された回転軸線回りで回転可能な第２の駆動軸を係合するように構成された、請求項２２に記載の装置。
【請求項２５】
前記外科用部材が、切断要素と、ステープル留め要素と、切断要素及びステープル留め要素が取り付けられるスラストプレートとの１つを有する、請求項２２に記載の装置。
【請求項２６】
前記第１の回転可能な駆動軸を回転させるように構成された電気機械駆動部をさらに備える、請求項１８に記載の装置。
【請求項２７】
前記第１の回転可能な駆動軸の前記回転軸線が、前記第１及び第２の顎部の前記面に垂直である、請求項１８に記載の装置。
【請求項２８】
前記第１の回転可能な駆動軸が、第１の方向に回転して前記顎部を延長し、前記第１の方向とは反対の第２の方向に回転して前記顎部を閉じる、請求項１８に記載の装置。
【請求項２９】
前記第１の駆動部が、少なくとも平歯車と、互いに対して回転して噛合する関係のウォーム及びウォームギアと、一端部で前記ウォームギアに固定的に接続されて前記第２の顎部の内側がネジ切りされたボアと係合している外側がネジ切りされたネジをと有し、
それにより、前記ギアの回転によって前記第１の顎部及び第２の顎部が相対移動する、請求項１９に記載の装置。
【請求項３０】
前記第２の回転可能な駆動軸が、第１の方向に回転して前記外科用部材を延長し、前記第１の方向とは反対の第２の方向に回転して前記外科用部材を後退させる、請求項２２に記載の装置。
【請求項３１】
前記第２の駆動部が、少なくとも互いに対してかつ一対の追加のウォームギアに対して回転し噛合する関係の平歯車及びウォームを有し、
前記一対の追加のウォームギアそれぞれが前記外科用部材に固定的に接続されて一対の外側がネジ切りされたネジの１つと係合し、中央に配置されて内側がネジ切りされたボアを有し、
それにより、前記ギアの回転によって前記外科用部材が相対移動する、請求項２２に記載の装置。
【請求項３２】
前記第１の駆動部を駆動するように適合された前記第１の回転可能な駆動軸と、第２の駆動部を駆動するように適合された第２の回転可能な駆動軸とを有する電気機械駆動部をさらに備える、請求項１９に記載の装置。
【請求項３３】
前記第２の顎部の前記内側がネジ切りされたボアが、アーム内に配置され、
前記アームが、前記第１の顎部に結合されたスリーブ内で長手方向に移動するように構成され、
前記スリーブ及び前記アームが、前記第２の顎部を前記第１及び第２の位置の間で移動させるように構成されたカム装置を有する、請求項３１に記載の装置。
【請求項３４】
前記カム装置が、前記アーム及び前記スリーブの少なくとも１つに沿って配置されたチャネルと、前記チャネル内に配置されたカムフォロワとを有する、請求項３３に記載の装置。
【請求項３５】
面内の閉位置と中間開位置との間で第２の顎部を第１の顎部に対して移動させるステップと、
前記面内に位置する軸線回りで少なくとも回転するように、前記中間開位置と全開位置との間で前記第２の顎部を前記第１の顎部に対して移動させるステップとを有する、外科用装置を動作させる方法。
【請求項３６】
前記閉位置、中間開位置及び全開位置の間で前記第２の顎部を移動させるように構成された第１の駆動軸を回転軸線回りで回転させるステップをさらに有する、請求項３５に記載の方法。
【請求項３７】
第２の駆動軸を回転させるステップと、
前記面に平行な方向において前記第２の回転可能な駆動軸の回転にしたがって、前記第１の顎部の中に配置された外科用部材を移動させるステップと、をさらに有する、請求項３６に記載の方法。
【請求項３８】
前記外科用部材が、切断要素及びステープル留め要素の少なくとも１つを有する、請求項３７に記載の方法。
【請求項３９】
前記第１の回転可能な駆動軸が、電気機械駆動部によって回転される、請求項３６に記載の方法。
【請求項４０】
前記第２の回転可能な駆動軸が、電気機械駆動部によって回転される、請求項３６に記載の方法。
【請求項４１】
前記第１の顎部及び前記第２の顎部がカム装置を有し、
当該方法が、前記第１及び第２の顎部が前記第１及び第２の位置の間で移動されたとき、前記カム装置を係合するステップをさらに有する、請求項３６に記載の方法。
【請求項４２】
前記カム装置が、前記アーム及び前記スリーブの少なくとも１つに沿って配置されたチャネルと、前記チャネル内に配置されたカムフォロワと、を有する、請求項４１に記載の方法。
【請求項４３】
第１の顎部と、
前記第１の顎部に連結されて閉位置と中間開位置との間で前記第１の顎部に対して移動可能な第２の顎部を備え、
前記閉位置と前記中間開位置との間で、前記第１及び第２の顎部のクランプ面が互いに対応して平行なままである第１及び第２の面を形成し、
前記第２の顎部が、前記中間開位置と全開位置との間で前記第１の顎部に対してさらに移動可能であり、
前記中間開位置と前記全開位置との間で、前記第１及び第２の顎部の前記クランプ面によって形成された前記第１及び第２の面が互いに対して平行な対応から外れる外科用装置。
【請求項４４】
前記閉位置において前記第１の顎部及び前記第２の顎部が、第３の面内に配置される、請求項４３に記載の装置。
【請求項４５】
前記中間開位置と前記全開位置との間において前記第２の顎部が、前記第３の面に垂直な軸線回りで前記第１の顎部に対して回転可能である、請求項４４に記載の装置。
【請求項４６】
前記第１の顎部及び前記第２の顎部を相対移動させるように構成された第１の駆動部をさらに備える、請求項４５に記載の装置。
【請求項４７】
前記第１の駆動部が、前記第３の面に対応して平行及び非平行のいずれかで配置された回転軸線回りで回転可能な第１の回転可能な駆動軸と係合するように構成された、請求項４６に記載の装置。
【請求項４８】
前記第１の顎部の中に配置された外科用部材と、
前記外科用部材を前記第３の面と平行な方向で相対移動させるように構成された第２駆動部と、をさらに備える、請求項４４に記載の装置。
【請求項４９】
前記第２の駆動部が、前記第３の面に対応して平行及び非平行のいずれかで配置された回転軸線回りで回転可能な第２の駆動軸と係合するように構成された、請求項４８に記載の装置。
【請求項５０】
前記外科用部材が、切断要素と、ステープル留め要素と、切断要素及びステープル留め要素が取り付けられるスラストプレートとの少なくとも１つを有する、請求項４８に記載の装置。
【請求項５１】
前記第１の回転可能な駆動軸を回転させるように構成された電気機械駆動部をさらに備える、請求項４７に記載の装置。
【請求項５２】
前記第２の回転可能な駆動軸を回転させるように構成された電気機械駆動部をさらに備える、請求項４９に記載の装置。
【発明の詳細な説明】
【技術分野】
【０００１】
本出願は、現在は米国特許第６５１７５６５号として２００３年２月１１日付で発行された２０００年２月２２日出願の米国特許出願第０９／５１０９２３号、２０００年１１月２８日出願の米国特許出願第０９／７２３７１５号、２００１年４月１７日出願の米国特許出願第０９／８３６７８１号、２００１年６月２２日出願の米国特許出願第０９／８８７７８９号、２００１年１２月４日出願の米国仮特許出願第６０／３３７５４４号、２００２年１２月４日出願の米国特許出願第１０／３０９５３２号及び２００２年３月８日出願の米国特許出願第１０／０９４０５１号に関し、それぞれの全体が参照することにより本明細書に明示的に組み込まれる。
【０００２】
本発明は外科用装置に関する。より具体的には、本発明は、回転可能な顎部を有するクランプ、切断及びステープル留め装置に関する。
【背景技術】
【０００３】
多くの文献に外科用装置が記載されている。これらの外科用装置のいくつかが、Sjostromらの特許文献１、Amsらの特許文献２、Mallabyの特許文献３、Byrneらの特許文献４、Tsurutaらの特許文献５、Hoovenの特許文献６〜９、Youngらの特許文献１０、Alesiらの特許文献１１及びViolaらの特許文献１２に記載されている。
【０００４】
１つのタイプの外科用装置は、まっすぐなステープル留め装置であり、組織の一片を切断してステープル留めするために使用されるギロチンタイプの装置である。図１Ａには、特許文献１３に記載されているような装置の一例が示されている。図１Ａに示される装置は、互いに平行な対応で移動する向かい合った顎部を有している。第１の顎部には、中に一連のステープルが配置され、第２の顎には、ステープルを受け入れて閉じるアンビル(anvil)が設けられている。ステープルプッシャは、第１の顎部内部に位置しており、第１の顎部の近位端部から第１の顎部の遠位端部まで延びる。第１の顎部及びステープルプッシャに連結された駆動軸は、第１の顎部及びステープルプッシャの移動面内に位置する。作動されると、駆動軸は、すべてのステープルを第２の顎部のアンビル内にあるステープルガイドに同時に押し付けるように、ステープルプッシャを駆動させる。
【０００５】
外科用装置の他の例が、特許文献１４〜１６に記載されている。このような外科用ステープラーは、互いに平行な対応で移動する向かい合った顎部を有し、第１の顎部には、中に一連のステープルが配置され、第２の顎部には、ステープルを受け入れて閉じるアンビルが設けられている。ステープルプッシャは、第１の顎部内部に位置し、第１の顎部の近位端部から第１の顎部の遠位端部まで延びる。第１の顎部及びステープルプッシャに連結された駆動軸は、第１の顎部及びステープルプッシャの移動面内に位置し、作動されると、駆動軸は、すべてのステープルを第２の顎部のアンビル内にあるステープルガイドに同時に押し付けるように、ステープルプッシャを駆動させる。
【０００６】
別のタイプの外科用装置は、特許文献１７に記載されているように、線形のクランプ、切断及びステープル留め装置である。このような装置は、胃腸管から癌組織または異常組織を切除するため、外科的処置で使用されてもよい。従来の線形のクランプ、切断及びステープル留め器具は、図１Ｂの斜視図に示される。装置は、細長い軸及び遠位部分を有するピストルグリップ状の構造を有している。遠位部分は、閉じた結腸の開放端部をクランプする一対の鋏状の把持要素を有する。２つの鋏状の把持要素の一方、すなわちアンビル部分は全体構造に対して移動または回転するが、他方の把持要素は全体構造に対して固定されたままである。この切取(scissoring)装置の動作、すなわちアンビル部分の回転は、ハンドルに配置されたグリップトリガによって制御される。遠位部分は、切取装置に加えて、ステープル留め機構をさらに有する。切取機構における固定された把持要素は、ステープルカートリッジ受入れ領域と、アンビル部分に接する組織におけるクランプされた端部にステープルを通し、それによって既に開放された端部を封止する機構とを有する。切取要素は、軸と一体に形成されてもよく、またはさまざまな切断及びステープル留め要素が交換可能であるように、分離可能であってもよい。
【０００７】
一般に、これらの外科用装置は次のようにして使用される。胃腸管内の癌組織または他の異常組織を同定する際（及び癌組織が結腸内のある位置に位置することを判断する際）、最初に患者の腹部を開いて腸を露出させる。次に、外科医は、癌組織の結腸の管の両側を切断し、腸の２つの開放端部（肛門を向く遠位端部と下部の腸に最も近い近位端部）をステープル留めして閉じる。この一時的な閉鎖は、露出した腸が腸の内容物によって汚染されるのを最小限に抑えるために行われる。より具体的には、腸の２つの開放端部のこの一時的な閉鎖は、結腸が外科用装置の顎部の間に位置するときに達成される。外科医は、第１の駆動機構を始動させることによって顎部を合わせる。次に、第２の駆動機構を始動させて、結腸のクランプされた端部に一連のステープル及び切断刃を通し、それによって端部を閉じて横に切開する。この処置は、一般的に、癌組織または異常組織の他方の側においてもう一度繰り返される。
【特許文献１】米国特許第４７０５０３８号明細書
【特許文献２】米国特許第４９９５８７７号明細書
【特許文献３】米国特許第５２４９５８３号明細書
【特許文献４】米国特許第５３９５０３３号明細書
【特許文献５】米国特許第５４６７９１１号明細書
【特許文献６】米国特許第５３８３８８０号明細書
【特許文献７】米国特許第５５１８１６３号明細書
【特許文献８】米国特許第５５１８１６４号明細書
【特許文献９】米国特許第５６６７５１７号明細書
【特許文献１０】米国特許第５６５３３７４号明細書
【特許文献１１】米国特許第５７７９１３０号明細書
【特許文献１２】米国特許第５９５４２５９号明細書
【特許文献１３】米国特許第３４９４５３３号明細書
【特許文献１４】米国特許第４４４２９６４号明細書
【特許文献１５】米国特許第４６７１４４５号明細書
【特許文献１６】米国特許第５４１３２６７号明細書
【特許文献１７】米国特許第６２６４０８７号明細書
【発明の開示】
【発明が解決しようとする課題】
【０００８】
上述の外科用装置に関する１つの問題は、装置の操作が困難な場合があることである。これらの装置は肉体的に、すなわち患者の体内で使用されることがあるので、装置は、患者の体内で操作できるように構成されるべきである。図１Ａ及び図１Ｂに示すような従来の外科用装置は、特に患者の体内で操作するのが困難である。
【０００９】
上述の外科用装置に関する別の問題は、患者の体内で装置を満足に位置決めできない場合があることである。例えば、従来の装置が、肛門側断端部にすぐ隣接した組織の一片をクランプ、切断、ステープル留めするのに使用されるとき、肛門のできるだけ近くで装置を位置決めし、組織の一片をクランプ、切断、ステープル留めすることが望ましいことがある。しかしながら、外科用装置の顎部は、開位置にあるとき大きな空間を必要とし、患者の体内及び肛門断端部の周囲の組織によって満足な位置決めが妨げられるので、従来の装置は、所望のように肛門側断端部に近付けて位置決めできない場合がある。
【課題を解決するための手段】
【００１０】
本発明は、その一例の実施形態において外科用装置に関する。外科用装置は第１の顎部を有する。外科用装置はさらに、第１及び第２の顎部が面内で整列する第１の位置と、第２の顎部が面に対応して非平行な第２の位置との間で第１の顎部に対して移動可能な第２の顎部を有する。このようにして、第２の顎部は、閉位置と開位置との間で第１の顎部に対して移動可能、例えば回転可能である。例えば、手術中、第２の顎部が第１の顎部に対して第１の距離だけ移動されると、第２の顎部は面内で移動してもよく、また、少なくとも部分的に面から外れて移動してもよく、例えば、第２の顎部が第１の顎部に対して第２の距離だけ移動されると回転してもよい。外科用装置は、第１の顎部及び第２の顎部を相対移動させるように構成された第１の駆動部を有してもよく、第１の駆動部は、面に対応して平行または例えば垂直などの非平行のいずれかで配置された回転軸線回りで回転可能な駆動軸と係合するように構成される。
【００１１】
外科用装置はさらに、第１の顎部の中に配置された例えば切断及び／またはステープル留め要素などの外科用部材と、面に平行な方向で外科用部材を相対移動させるように構成された第２の駆動部とを有してもよい。第２の駆動部は、面に対応して平行または例えば垂直などの非平行のいずれかで配置された回転軸線回りで回転可能な第２の駆動軸と係合するように構成されてもよい。電気機械駆動部は、第１の回転可能な駆動軸が第１の方向に回転して顎部を延長し、第１の方向とは反対の第２の方向に回転して顎部を閉じるようにして、第１の回転可能な駆動軸を回転させるために使用されてもよい。一実施形態において、第１の駆動部は、少なくとも平歯車と、互いに対して回転して噛合する関係のウォーム及びウォームギアと、一端部でウォームギアに固定的に接続されて第２の顎部の内側がネジ切りされたボアと係合している外側がネジ切りされたネジとを有し、それにより、ギアの回転によって第１の顎部及び第２の顎部が相対移動する。
【００１２】
それに加えて、電気機械駆動部は、第２の回転可能な駆動軸が第１の方向に回転して外科用部材を延長し、第１の方向とは反対の第２の方向に回転して外科用部材を後退させるようにして、第２の回転可能な駆動軸を回転させるために使用されてもよい。一実施形態において、第２の駆動部は、少なくとも、互いに対してかつ一対の追加のウォームギアに対して回転して噛合する関係の平歯車及びウォームを有し、一対の追加のウォームギアそれぞれは、外科用部材に固定的に接続された一対の外側がネジ切りされたネジの１つと係合している中央に配置され内側がネジ切りされたボアを有し、それにより、ギアの回転によって外科用部材が相対移動する。電気機械駆動部は、第１及び第２の回転可能な駆動軸をそれぞれ駆動させるように適合された少なくとも１つのモータ装置を含んでもよい。
【００１３】
一実施形態において、第２の顎部の内側がネジ切りされたボアはアーム内に配置され、アームは、第１の顎部に結合されたスリーブ内で長手方向に移動するように構成され、スリーブ及びアームは、第２の顎部を第１及び第２の位置の間で移動させるように構成されたカム装置を有する。カム装置は、アーム及びスリーブの少なくとも１つに沿って配置されたチャネルと、チャネル内に配置されたボールベアリングとを含んでもよい。
【００１４】
本発明は、その一例の実施形態において、第１の顎部及び第２の顎部を有する外科用装置に関する。第２の顎部は、第１の顎部に連結され、閉位置と中間開位置との間で第１の顎部に対して移動可能である。閉位置と中間開位置との間で、第１及び第２の部のクランプ面は、互いに対して平行な対応のままである第１及び第２の面を形成する。それに加えて、第２の顎部は、中間開位置と全開位置との間で第１の顎部に対してさらに移動可能である。中間開位置と全開位置の間で、第１及び第２の顎部のクランプ面によって形成された第１及び第２の面は、互いに対して平行な対応から外れて移動する。例えば、中間開位置と全開位置との間で、第２の顎部は、面に垂直な軸線回りで第１の顎部に対して回転可能であってもよい。閉位置において、第１の顎部及び第２の顎部は、第３の面内に配置されてもよく、第１の顎部及び第２の顎部を相対移動させるように構成された第１の駆動部は、第３の面に対応して平行及び非平行のいずれかで配置された回転軸線回りで回転可能な、第１の回転可能な駆動軸を係合するように構成されてもよい。外科用装置はさらに、例えば切断及び／またはステープル留め要素あるいは切断及び／またはステープル留め要素が取り付けられるスラストプレートなどの外科用部材を有してもよく、外科用部材は第１の顎部の中に配置され、第２の駆動部は、外科用部材を第３の面に平行な方向に相対移動させるように構成される。第２の駆動部は、第３の面に対応して平行及び非平行のいずれかで配置された回転軸線回りで回転可能な第２の駆動軸と係合してもよい。電気機械駆動部は、第１及び／または第２の回転可能な駆動軸を回転させるために使用されてもよい。
【発明を実施するための最良の形態】
【００１５】
本発明における外科用装置１１の一例の実施形態を図３〜図７に示す。図３及び図４を参照すると、例えばクランプ、切断及びステープル留め装置である外科用装置１１の一例の実施形態が示される。この一例の実施形態では、外科用装置１１は、第１の顎部８０に対して移動可能な第２の顎部５０を有する。第２の顎部５０の第１の端部５０ａは、第１の顎部８０の第１の端部８０ａに機械的に連結される。
【００１６】
図３は、開位置にある外科用装置１１を示す斜視図であり、第２の顎部５０及び第１の顎部８０は、それらの第１の端部５０ａ及び８０ａで互いに接触している。開位置において、第１の顎部８０は、図３に示されるｘ及びｙ軸線によって形成される長手方向面内で維持され、一方、第２の顎部５０は、ｘ及びｙ軸線によって形成される長手方向面から少なくとも部分的に外れて移動、例えば回転される。具体的には、外科用装置１１は、第２の顎部５０が第１の顎部８０に対して垂直に移動するのに加えて、第２の顎部５０の遠位端部５０ｂが第１の顎部８０の遠位端部８０ｂと整列するように、またその整列から外れるように移動するように構成される。
【００１７】
ギアハウジング２５５は、第１の顎部８０の側面に取り付けられる。ギアハウジング２５５は、明瞭にするため概略的に示される第１の駆動部１５０に連結された第１の駆動ソケット１８０を有する。第１の駆動部１５０は、第２の顎部５０の第１の端部５０ａに連結されて、第１の顎部８０及び第２の顎部５０を開閉する。さらに、ギアハウジング２５５は、第２の駆動ソケット３１０を有する。
【００１８】
図４は、閉位置にある外科用装置１１を示す。閉位置では、第２の顎部５０及び第１の顎部８０は、それらの第１の端部５０ａ及び８０ａで、さらにそれらの第２の端部５０ａ及び５０ｂで互いに接触している。したがって、図３及び図４にそれぞれ示される開位置と閉位置との間において、第２の顎部５０の遠位端部５０ｂは、第１の顎部８０の遠位端部８０ｂと整列するように移動される。閉位置において、組織の一片は、第２の顎部５０と第１の顎部８０の間でクランプされうる。
【００１９】
また、図５及び図６は、閉位置における外科用装置１１を示す。図５及び図６は、概略的に示される第２の駆動部２６１に連結されたギアハウジング２５５の第２の駆動ソケット３１０を示す。第２の駆動部２６１は、外科用部材２６２に連結される。外科用部材２６２は、切断及びステープル留めアセンブリ２６２を含んでもよいが、他のタイプの外科用部材が設けられもよい。
【００２０】
第２の駆動部２６１は、切断及びステープル留めアセンブリ２６２に連結されており、切断及びステープル留めアセンブリ２６２を図５に示される第１の後退位置から図６に示される第２の延長位置まで移動させる。例えば第１の駆動ソケット１８０及び第２の駆動ソケット３１０などの２つの駆動ソケットと、例えば第１の駆動軸６３０及び第２の駆動軸６３２（下記参照）などの２つの対応する駆動軸とが示されるが、任意の適切な数の駆動ソケット及び駆動軸を設けることができる。例えば、単一の駆動軸が外科用装置を駆動するために設けられてもよい。
【００２１】
図７は、図３〜図６に示される外科用装置１１の平面図である。図７は、電気機械駆動部構成要素６１０に対して例えば取外し可能にまたは恒久的に連結された外科用装置１１を示す。図７は、第１の駆動部１５０を有する外科用装置１１を示しており、第１の駆動部は、第１の駆動ソケット１８０を介して第１の駆動軸６３０によってシステム６１０の第１のモータ６８０に連結される。第１の駆動部１５０は、システム６１０によって係合されると、第２の顎部５０に対して第１の顎部８０を開閉するように作動する。さらに、図７は、第２の駆動部２６１を有する外科用装置１１を示しており、第２の駆動部は、第２の駆動ソケット３１０を介して第２の駆動軸６３２によってシステム６１０の第２のモータ６７６に連結される。第２の駆動部２６１は、システム６１０によって係合されると、切断及びステープル留めアセンブリ２６２を駆動するように作動する。図７に示すように、第１の駆動ソケット１８０及び第２の駆動ソケット３１０は、第１の駆動軸６３０及び第２の駆動軸６３２を図３に示すｘ−ｙ面に対してある角度、例えば垂直で外科用装置１１に連結することができるように外科用装置１１上に配置される。すなわち、第１の駆動軸６３０及び第２の駆動軸６３２は、例えば図７に示すｚ軸線方向で外科用装置１１に連結されてもよい。
【００２２】
図８Ａ〜図８Ｅは、本発明の一例の実施形態による外科用装置１１のさまざまな分解組立図であり、図９は、組み立てられた外科用装置１１の斜視図である。
【００２３】
図８Ａは、ステープルカートリッジアセンブリ５０７の分解組立図である。ステープルカートリッジアセンブリ５０７は、ステープルプッシャ５１４を有する。ステープルプッシャ５１４は、スラストプレート５０２（後述）の底面５０２２に取り付けられる。ステープルプッシャ５１４は、下向きに配置された歯部５１４３の平行な列５１４１及び５１４２を有しており、列それぞれは、アンビル５０５（後述）のステープルガイド５０５３に対応してそれと整列する。下向きの切刃５１９１を有するナイフ５１９は、ステープルプッシャ５１４の下向きに配置された歯部５１４３の平行な列の間に配置される。
【００２４】
ステープルホルダ５１３は、ステープルプッシャ５１４の下に配置される。ステープルホルダ５１３は、垂直に配置された溝部５１３２を有するカートリッジを有し、溝部それぞれは、ステープルプッシャ５１４の下向きに配置された歯部５１４３及びアンビル５０５のステープルガイド５０５３に対応してそれらと整列する。プロング５２８１を有するステープル５２８は、各溝部５１３２内に設けられる。また、ステープルホルダ５１３は、長手方向に配置された溝部５１３１を有し、溝部は、ステープルホルダ５１３を通って延び、ナイフ５１９が通ってもよい。ステープルホルダ５１３は、一端部５１３４に隣接した穴部５１３３を有する。
【００２５】
ステープルホルダ５１３の一端部５１３４に隣接するステープルホルダ５１３の穴部５１３３は、ピン５１８の端部５１８１を受け入れるように構成されている。一例の実施形態において、ピン５１８は、ステープルホルダ５１３に垂直とあるようにほぼ垂直な位置で維持される。ピン５１８は、その反対側の端部５１８４でバネ５２４を受け入れるように構成された中央に配置された内部ボア５１８３を有する。また、ピン５１８の端部５１８４には、ピン５１８に垂直に取り付けられたレバー５１８２が位置する。バネ５２４は、ピン５１８の端部５１８１をアンビル５０５（後述）のオリフィス５０５７内へと付勢する。
【００２６】
カートリッジキャップ５１５は、溶接などによってステープルホルダ５１３の端部５１３４に取り付けられる。カートリッジキャップ５１５のピン５１５１、５１５２及び５１５３は、ステープルホルダ５１３の開口部５１３５、５１３６及び５１３７それぞれと係合する。また、カートリッジキャップ５１５は、ピン５１８を受け入れるように構成された内部に配置された穴部５１５４を有する。カートリッジキャップ５１５のボア５１５４は、それと連通する溝部５１５３を有し、溝部５１５３は、ピン５１８のレバー５１８２を案内するように構成される。一例の実施形態において、カートリッジキャップ５１５の内部に配置されたボア５１５４は、カートリッジキャップ５１５の上面５１５５を通って延びず、代わりに内部に配置されたボア５１５４内のバネ５２４を保持する。バネ５２４の付勢力は、ピン５１８の端部５１８１をステープルホルダ５１３の穴部５１３３の中へ押し込み、溝部５１３２がステープルプッシャ５１４の下向きに配置された歯部５１４３及びアンビル５０５のステープルガイド５０５３と整列するようにステープルホルダ５１３が位置決めされることを確保するのに役立つ。また、カートリッジキャップ５１５は、ステープルホルダ５１３を覆うステープルカートリッジスリーブ５２６によって定位置で保持される。ステープルカートリッジスリーブの溝部５２６１内には、メモリ素子５０１１が取り付けられる。
【００２７】
図８Ｂは、スラストプレート構成要素５０３１の分解組立図である。スラストプレート構成要素５０３１は、ネジ５０３及び５０４を有する。ネジ５０３及び５０４は、両方とも例えば溶接によってスラストプレート５０２の上面５０２１に固定的に結合される。
【００２８】
図８Ｃは、アンビル構成要素５０４の分解組立図である。この一例の実施形態において、アンビル構成要素５０４はアンビル５０５を有し、アンビルは、例えば溶接によってアンビル回転アーム５０９に結合されている。アンビル回転アーム５０９は、その中を長手方向に延び、垂直に配置されて内側がネジ切りされたボア５０５１を有する。また、台座回転アーム５０９は、カム装置、例えばチャネル５０５２を外側表面上に有する。チャネル５０５２は、アンビル回転アーム５０９の外側表面の下側部分に沿って長手方向に延び、そして図８Ｃに示すようにアンビル回転アーム５０９の外側表面の上側部分に沿って湾曲する。さらに、アンビル５０５は、第１の顎部８０と対向して対応するアンビル５０５の領域５０５４に沿って平行に配置された構成である複数のステープルポケットまたはガイド５０５３を有する。ナイフパッド５２０は、複数のステープルガイド５０５３の間に配置される。
【００２９】
図８Ｄは、側面プレート構成要素５６０の分解組立図である。側面プレート構成要素５６０は、頂部プレート５６０１及び側面プレート５６０２を有する。頂部プレート５６０１は、側部に配置された開放端部をそれぞれ有する第１の溝部５６０３及び第２の溝部５６０４を有する。また、頂部プレート５６０１は、後部に配置された開放端部を有する第３の溝部５６０５を有する。その中で延びる長手方向に配置された内部ボア５７０１を有する回転アームスリーブ５７０は、例えば溶接によって、側面プレート構成要素５６０に取り付けられる。ボア５７０１の一部分は、垂直に配置された溝部５７０２を形成するように切り取られる。ボア５７０１の内側表面は、開口部を有し、その中には、カム装置の一部、例えばボールベアリングのようなカムフォロワ５７１が一体的に取り付けられる。
【００３０】
図８Ｅは、本発明の一例の実施形態における外科用装置１１の部分分解組立斜視図である。この一例の実施形態において、第２の顎部５０は、アンビル構成要素５０４を有する。アンビル構成要素５０４は、図８Ｃに示される分解組立図と比較して、図８Ｅでは組み立てられたものとして示される。
【００３１】
第１の顎部８０は、第２の側面プレート構成要素５０６を有する。第２の側面プレート構成要素５０６の外側表面５０６２は、ギアハウジング２５５を取り付けるための装置を有する。ギアハウジング２５５は、締結具、例えばネジ５３３を介して、第２の側面プレート構成要素５０６の外側表面５０６２に取り付けられる。
【００３２】
迅速接続(quick-connect)連結部５１１は、ギアハウジング２５５上に取り付けられており、一組のバネを介して付勢される。ギアハウジング２５５は、第１の駆動ソケット１８０及び第２の駆動ソケット３１０を有する。この一例の実施形態において、第１の駆動ソケット１８０は、一端部が、ギアハウジング２５５の開口部２５５１を通って延び、他端部が平歯車歯部を有する第１のピニオン５０８ａ（図示なし）を有する。第２の駆動ソケット３１０は、一端部がギアハウジング２５５の第２の開口部２５５２を通って延び、他端部が係合端部を有する第２のピニオン５０８ｂ（図示なし）を有する。メモリモジュール５０１は、ギアハウジング２５５内に配置され、ギアハウジング２５５の開口部を通って延びる、またはそこを介してアクセス可能なコネクタを有する。メモリモジュール５０１は、内側寄り及び外側寄りのシムによってギアハウジング２５５内の定位置で保持される。また、メモリモジュール５０１は、バネ５３９によってその位置で付勢される。
【００３３】
第１のピニオン５０８ａ及び第２のピニオン５０８ｂそれぞれは、平歯車５２９ａ及び連結要素５２９ｂを係合する。第１の平歯車５２９ａは、第１のウォーム５２３ａの端部５２３１を回転不能に係合する内部ボア５２９３（破線で示される）を有する。連結要素５２９ｂは、第２のウォーム５２３ｂの端部５２３４を回転不能に係合し、かつ第２のピニオン５０８ｂの係合端部を回転不能に係合する内部ボア５２９４を有する。図８Ａに示すように、ボア５２９３及び５２９４、端部５２３１及び５２３４、並びに第２のピニオン５０８ｂの係合端部は、例えば正方形であってもよい。ボア５２９３及び５２９４と、端部５２３１及び５２３４と、第２のピニオン５０８ｂの係合端部とは、それらの間に回転不能な係合をもたらす任意の形状または構成であってもよいことを理解すべきである。
【００３４】
この一例の実施形態において、第１のウォーム５２３ａは、第１の平歯車５２９ａの内部ボア５２９３と回転不能に係合する１つの端部５２３１と、周囲に配置されたネジ山５２３３を有する第２の端部５２３２とを有する。第２のウォーム５２３ｂは、連結要素５２９ｂの内部ボア５２９４と回転不能に係合する１つの端部５２３４と、周囲に配置されたネジ山５２３６を有する第２の端部５２３５とを有する。第１のウォーム５２３ａの第２の端部５２３２は、側面プレート構成要素５６０の側面プレート５６０２の穴部５６０７を通って延び、ウォーム５２３ａの端部５２３１は第１の平歯車５２９ａと係合する。第２のウォーム５２３ｂの第２の端部５２３５は、側面プレート構成要素５６０の側面プレート５６０２の穴部５６０６を通って延び、ウォーム５２３ｂの端部５２３４は連結要素５２９ｂを係合する。
【００３５】
また、外科用装置１１内には、ウォームギア５２２が配置される。ウォームギア５２２は、周囲に配置されてウォーム５２３ａの第２の端部５２３２のネジ山５２３３を係合する歯部５２２１を有する。ウォームギア５２２は内部ボアを有し、それを介してネジ５２１が配置される。ネジ５２１は頭部５２１１を有し、その下に円周溝部５２２２が形成されている。ネジ５２１は、ウォームギア５２２の内部ボアと回転不能に係合する。ウォームギア５２２及びネジ５２１は、別個または一体的に形成されてもよい。頭部５２１１及びネジ溝部５２２２は、側面プレート構成要素５６０の溝部５６０５に嵌合し、かつその中で保持されるように構成される。ネジ５２１は、外部に配置されたネジ山５２１４を有し、それらが回転アーム５０９の内側がネジ切りされたボア５０５１と係合する。
【００３６】
また、ウォームギア５１６及びウォームギア５１７は、外科用装置１１内に配置される。ウォームギア５１６及びウォームギア５１７は、ウォーム５２３ｂの両側に位置決めされる。具体的には、ウォームギア５１６は、ウォーム５２３ｂの第１の側面と係合する周囲に配置されたギア歯部５１６１と、ウォーム５２３ｂの第２の側面と係合する周囲に配置されたギア歯部５１７１とを有する。ウォームギア５１６は、下部に円周溝部５１６３が形成された頭部５１６２を有する。頭部５１６２及びネジ溝部５１６３が側面プレート構成要素５６０の溝部５６０６と嵌合してその中で保持されるように構成されるため、ウォームギア５１６は、その垂直な中心軸線の周りを回転可能である。ウォームギア５１７は、下部に周溝５１７３が形成された頭部５１７２を有する。頭部５１７２及びネジ溝部５１７３は、側面プレート構成要素５６０の溝部５６０７に嵌合してその中で保持されるように構成されるため、ウォームギア５１７は、その垂直な中心軸線の周りを回転可能である。
【００３７】
スラストプレートアセンブリ(thrust plate assembly)５０３１（図８Ｂに示される分解組立図と比較して、図８Ｅにおいて組み立てられたものとして示される）の外側がネジ切りされたネジ５０４は、ウォームギア５１６の内側がネジ切りされたボア５１６４を通して配置される。外側がネジ切りされたネジ５０３は、ウォームギア５１７の内側がネジ切りされたボア５１７４を通って配置される。ウォームギア５１６及び５１７は、ウォーム５２３ｂの対向する側面上に位置してそれらと係合しているので、ウォームギア５１６及び５１７の内側がネジ切りされたボア５１６４及び５１７４、並びに外側がネジ切りされたネジ５０４及び５０３は、互いに対して反対向きにネジ切りされていてもよい。図示される一例の実施形態において、ウォームギア５１６の内側がネジ切りされたボア５１６４は、ネジ５０４の右巻きの外部ネジ山と係合する右巻きのネジ山を有してもよく、ウォームギア５１７の内側がネジ切りされたボア５１７４は、ネジ５０３の左巻きの外部ネジ山と係合する左巻きのネジ山を有してもよい。上述したように、ネジ５０３及び５０４は、両方ともスラストプレート５０２の上面５０２１に固定的に連結される。
【００３８】
図８Ａに示される分解組立図と比較して図８Ｅにおいて組み立てられて示されるステープルカートリッジアセンブリ５０７は、ステープルプッシャ５１４がスラストプレート５０２の底面５０２２の下に位置決めされるように配置される。ステープルホルダ５１３は、ステープルプッシャ５１４の下に配置される。
【００３９】
外科用装置１１を組み立てるため、ステープルカートリッジアセンブリ５０７の近位端部５０７１は、回転アームスリーブ５７０の溝部５７０２の側面にある表面５０７３と接続される。ギアは、スラストプレート構成要素５０３１と側面プレート構成要素５６０の頂部プレート５６０１との間に配置され、側面プレート構成要素５６０の溝部及び開口部と部分的に係合することにより、例えば、頭部、例えば頭部５１６２、５１７２及び５２１１が、側面プレート構成要素５６０の溝部、例えば溝部５６０３、５６０４及び５６０５の中に係合することにより、定位置で保持される。ネジ５２１のネジ山５２１４は、回転アーム５０９の内側がネジ切りされたボア５０５１と係合される。回転アーム５０９は、回転アームスリーブ５７０の中央のボア５７０１内にある。カムフォロワ５７１は、カムフォロワ５７１の一部が回転アーム５０９のチャネル５０５２内にあるよう、回転アームスリーブのボア５０７１内で保持され、その中へ延びる。
【００４０】
第２の側面プレート構成要素５０６は、ギア、スラストプレート構成要素５０３１、ステープルカートリッジアセンブリ５０７及び回転アームが５０９（回転アームスリーブ５７０内）が間に配置されるように例えばネジ５９９によって側面プレート構成要素５６０に結合される。ギアハウジング２５５は、例えばネジ５３３によって、第２の側面プレート構成要素５０６に結合される。
【００４１】
図９は、開位置にある完全に組み立てられた外科用装置１１の斜視図である。図３〜図９に示される本発明の例示の実施形態は、ステープル留め及び切断要素のギロチンタイプの配置を含むが、別の実施形態において、ステープル留め及び切断要素は、外科用装置１１の近位端部と遠位端部の間で移動されることを理解すべきである。例えば、外科用装置１１の一例の代替実施形態では、外科用装置１１の近位端部と遠位端部との間で移動されるステープル留め及び切断要素に連結されたギアを有してもよく、ギアは、第１の顎部８０及び第２の顎部５０の移動面に対応して非平行、例えば垂直に連結された駆動軸によって駆動される。
【００４２】
さらに、図３〜図９に示される本発明の例示の実施形態において、駆動ソケット１８０及び３１０が駆動軸を、例えばｘ−ｙ面に対応して非平行、例えば垂直に配置された回転軸線回りで回転可能な駆動軸６３０及び６３２をそれぞれ係合するように構成された配置を含むが（例えば、図３参照）、別の実施形態において、外科用装置１１は、駆動ソケット１８０及び３１０が駆動軸を、例えばｘ−ｙ面に対応して平行に配置された回転軸線回りで回転可能な駆動軸６３０及び６３２をそれぞれ係合するように構成された配置を形成してもよいことを理解すべきである。
【００４３】
さらにまた、第２の顎部５０を第１の顎部８０に対して回転させるカム装置は、さまざまな異なる構成を有してもよいことを理解すべきである。例えば、回転アーム５０９上にあるものとして図示され記載されたチャネル５０５２は、回転アーム及び回転アームスリーブ５７０の一方または双方の上に配置されてもよい。さらに、回転アーム５０９のチャネル５０５２は、上述した形状とは異なる形状を有してもよい。より正確には、本発明は、閉位置にあるとき第１及び第２の顎部によって形成される面に対応して、非平行に第２の顎部５０を移動させるように構成された任意のカム装置を含んでもよい。
【００４４】
さらにまた、図３〜図９に示される本発明の例示の実施形態では、第１及び第２の顎部のクランプ面が、動作中に互いに対応して平行なままである面を形成する配置を含むが、別の実施形態において、外科用装置１１は、第１及び第２の顎部のクランプ面が、動作中に互いに対応して平行なままではない面を形成する配置を備えてもよいことを理解すべきである。例えば、一例の実施形態において、外科用装置１１は、第１及び第２の顎部が、少なくとも部分的に鋏の形式で開閉し、第１及び第２の顎部が、例えばヒンジなどによってそれぞれの近位端部で接続される配置を備えしてもよい。例えば、外科用装置は、それによって第２の顎部が第１の顎部に連結され、閉位置と中間開位置との間で第１の顎部に対して移動可能であって、閉位置と中間開位置との間で、第１及び第２の顎部のクランプ面が、互いに対応して平行なままである第１及び第２の面を形成する配置を備えてもよい。さらに、第２の顎部は、中間開位置と全開位置との間で第１の顎部に対してさらに移動可能であって、中間開位置と全開位置との間で、第１及び第２の顎部のクランプ面によって形成される第１及び第２の面が互いに関して平行な対応から外れる、例えば第１及び第２の顎部が中間開位置と全開位置との間で鋏のような形式で移動してもよい。そのような配置は、例えば、本発明の別の一例の実施形態による切断及びステープル留めアタッチメントのさまざまな図である図２０Ａ〜Ｃに示される。具体的には、図２０Ａは、そのような配置を有する装置の斜視図である。図２０Ｂは、親ネジに沿ったこの装置の断面図である。図２０Ｃは、カムピンに沿ったこの装置の断面図である。
【００４５】
さらにまた、図３〜図９に示される本発明の例示の実施形態では、動作の一部分の間、第１及び第２の顎部が互いに関して少なくとも回転するように移動し、それにより、第１及び第２の顎部が全閉位置にあるときに第１及び第２の顎部によって形成される面から第２の顎部が外れて移動される配置を含むが、一例の実施形態において、外科用装置１１は、第１及び第２の顎部が全閉位置にあるとき第１及び第２の顎部によって形成される面から第１及び第２の顎部が外れて、互いに関して少なくとも回転するように移動しない配置を備えてもよいことを理解すべきである。例えば、一例の実施形態において、外科用装置１１は、第１及び第２の顎部が少なくとも部分的に鋏のような形式で開閉し、第１及び第２の顎部が、例えばヒンジによってそれぞれの近位端部で接続され、それにより、第１及び第２の顎部が全閉位置にあるとき第１及び第２の顎部によって形成される面内で第２の顎部が保持される配置を備えてもよい。例えば、外科用装置は、それによって第２の顎部が第１の顎部に連結され、閉位置と中間開位置との間で第１の顎部に対して移動可能であって、閉位置と中間開位置との間で、第１及び第２の顎部が全閉位置にあるとき第１及び第２の顎部によって形成される面内で第１及び第２の顎部が保持される配置を備えてもよい。それに加えて、第２の顎部は、中間開位置と全開位置との間で第１の顎部に関してさらに移動可能であって、中間開位置と全開位置との間で、第１及び第２の顎部が全閉位置にあるとき第１及び第２の顎部によって形成される面内で第１及び第２の顎部が保持されたまま鋏のような形式で移動されてもよい。
【００４６】
本発明の一例の実施形態によれば、外科用装置１１は、電気機械駆動部構成要素６１０などの電気機械的外科用システムに対するアタッチメントとして構成されてもよく、またはそれと一体であってもよい。別の一例の実施形態において、外科用装置は、機械駆動システムに対するアタッチメントであってもよく、またはそれと一体であってもよい。
【００４７】
図２は、本発明による電気機械駆動部構成要素６１０の一例の実施形態の斜視図である。そのような電気機械駆動部構成要素の例は、例えば、米国特許出願第０９／７２３７１５号、米国特許出願第０９／８３６７８１号及び米国特許出願第０９／８８７７８９号に記載されており、それぞれの全体が参照することにより本明細書に明示的に組み込まれる。電気機械駆動部構成要素６１０は、例えば、前面パネル６１５を有するハウジング６１４を有する遠隔電力コンソール６１２を有してもよい。前面パネル６１５上には、ディスプレイ装置６１６並びにインジケータ６１８ａ及び６１８ｂが取り付けられる。可撓性軸６２０は、ハウジング６１４から延びてもよく、第１の連結部６２２を介してそれに取外し可能に結合されてもよい。可撓性軸６２０の遠位端部６２４は、例えば上述の外科用装置１１を、可撓性軸６２０の遠位端部６２４に取外し可能に結合するように構成された第２の連結部６２６を含んでもよい。また、第２の連結部６２６は、異なる外科用器具またはアタッチメントを取外し可能に結合するように構成されてもよい。別の一例の実施形態において、可撓性軸６２０の遠位端部６２４は、外科用器具に恒久的に結合しても、またはそれと一体であってもよい。
【００４８】
図１０を参照すると、部分的に断面を示す可撓性軸６２０の側面図が示される。一例の実施形態によれば、可撓性軸６２０は、シースは、内部チャネル６４０と周囲との間を液密封止するように構成されたコーティングまたは他の封止装置を有しうる管状のシース６２８を有する。シース６２８は、組織適合性で滅菌可能なエラストマー材料から形成されてもよい。また、シース６２８は、加圧滅菌可能な材料から形成されてもよい。第１の回転可能な駆動軸６３０、第２の回転可能な駆動軸６３２、第１のステアリングケーブル６３４、第２のステアリングケーブル６３５、第３のステアリングケーブル６３６、第４のステアリングケーブル６３７及びデータ転送ケーブル６３８は、可撓性軸６２０の内部チャネル６４０内に配置され、その全長に沿って延在してもよい。図１１は、図１０に示される線１１−１１に沿った可撓性軸６２０の断面図であり、いくつかのケーブル６３０、６３２、６３４、６３５、６３６、６３７及び６３８をさらに示している。ステアリングケーブル６３４、６３５、６３６及び６３７の各遠位端部は、可撓性軸６２０の遠位端部６２４に固着される。いくつかのケーブル６３０、６３２、６３４、６３５、６３６、６３７及び６３８はそれぞれ、各シース内に収容されてもよい。
【００４９】
第１の回転可能な駆動軸６３０及び第２の回転可能な駆動軸６３２は、例えば編組もしくは螺旋状駆動ケーブルのような例えば非常に柔軟な駆動軸として形成されてもよい。そのような非常に柔軟な駆動ケーブルのトルク伝達特性及び能力は、限定されることがあることを理解すべきである。また、外科用装置１１、または可撓性軸６２０に接続される他のアタッチメントは、駆動軸６３０及び６３２が伝達可能なトルクよりも高いトルク入力を必要とすることがあることを理解すべきである。したがって、駆動軸６３０及び６３２は、低いトルクだが速い速度で伝達するように構成されてもよく、外科用器具もしくはアタッチメント及び／または遠隔電力コンソール６１２における例えば可撓性軸６２０の遠位端部及び／または近位端部に配置されたギア装置によって、高速／低トルクが低速／高トルクに変換される。そのようなギア装置は、ハウジング６１４内に配置されたモータと、可撓性軸６２０に接続された結合した外科用器具または他のアタッチメントとの間の、パワートレインに沿った任意の適切な位置に提供されてもよいことを認識されたい。そのようなギア装置は、例えば、平歯車装置、遊星ギア装置、ハーモニックギア装置、サイクロイド駆動装置、エピサイクリック(epicyclic)ギア装置などを含んでもよい。
【００５０】
次に図１２を参照すると、第１の連結部６２２の背面図が示される。第１の連結部６２２は、第１の連結部６２２にそれぞれ回転可能に固定された、第１のコネクタ６４４、第２のコネクタ６４８、第３のコネクタ６５２及び第４のコネクタ６５６を有する。コネクタ６４４、６４８、６５２及び６５６それぞれは、凹部６４６、６５０、６５４及び６５８を有する。図１２に示すように、各凹部６４６、６５０、６５４及び６５８は六角形の形状であってもよい。しかしながら、当然ながら、凹部６４６、６５０、６５４及び６５８は、コネクタ６４４、６４８、６５２及び６５６を、ハウジング６１２内に収容されるモータ装置の各駆動軸に回転不能に連結し、しっかり結合するように構成された、任意の形状及び構成を有してもよい。当然ながら、補完的な突出部がモータ装置の各駆動軸上に設けられ、それによって可撓性軸６２０の駆動要素を駆動してもよい。さらに、当然ながら、凹部が駆動軸上に設けられてもよく、また、補完的な突出部がコネクタ６４４、６４８、６５２及び６５６上に設けられてもよい。コネクタ６４４、６４８、６５２及び６５６とモータ装置の駆動軸とを回転不能かつ解放可能に連結するように構成された他の任意の連結装置が設けられてもよい。
【００５１】
コネクタ６４４、６４８、６５２及び６５６の１つは、第１の駆動軸６３０に回転不能に固定され、コネクタ６４４、６４８、６５２及び６５６の別の１つは、第２の駆動軸６３２に回転不能に固定される。コネクタ６４４、６４８、６５２及び６５６の残りの２つは、ステアリングケーブル６３４、６３５、６３６及び６３７に引張力を加え、それによって可撓性軸６２０の遠位端部６２４を操作するように構成された伝送要素と係合する。データ転送ケーブル６３８は、データコネクタ６６０と電気的かつ論理的に接続される。データコネクタ６６０は、例えばデータケーブル６３８に収容された個々のワイヤに対応してその数と等しい数の電気接点６６２を有する。第１の連結部６２２は、第１の連結部６２２をハウジング６１２上に配置された接続及び相補的な連結装置に適切に向けるように構成された鍵構造６４２を有する。そのような鍵構造６４２は、第１の連結部６２２とハウジング６１２上に配置された組み合わされる補完的な連結装置とのいずれか一方または双方の上に設けられてもよい。第１の連結部６２２は、迅速接続タイプのコネクタを含んでもよく、コネクタは、単純な押す動作によって第１の連結部６２２をハウジング６１２に係合してもよい。いくつかのコネクタ６４４、６４８、６５２、６５６及び６６０のいずれかと共に封止が形成されて、第１の連結部６２２の内部と環境との間の液密封止を形成してもよい。
【００５２】
次に図１３を参照すると、可撓性軸６２０の第２の連結部６２６の正面図が示される。一例の実施形態において、第２の連結部６２６それぞれは、第２の連結部６２６それぞれに回転可能に固定され、第１の駆動軸６３０及び第２の駆動軸６３２それぞれの遠位端部にそれぞれ回転不能に固定される第１のコネクタ６６６及び第２のコネクタ６６８を有する。迅速接続タイプの固定具６６４は、第２の連結部６２６上に設けられ、外科用装置１１をそれに取外し可能に固定する。迅速接続タイプの固定具６６４は、例えば回転式の迅速接続タイプの固定具、差込式の固定具などであってもよい。鍵構造６７４は、第２の連結部６２６上に設けられ、外科用装置１１を第２の連結部６２６に対して適切に整列させるように構成される。鍵構造または外科用装置１１を可撓性軸６２０に対して適切に整列させるように構成された他の装置は、第２の連結部６２６及び外科用装置１１のいずれか一方または双方の上に設けられてもよい。さらに、迅速接続タイプの固定具は、図８Ｅに示すように、迅速接続連結部５１１として外科用装置１１上に設けられてもよい。また、電気接点６７２を有するデータコネクタ６７０は、第２の連結部６２６内に設けられる。第１の連結部６２２のデータコネクタ６６０と同様に、第２の連結部６２６のデータコネクタ６７０は、データ転送ケーブル６３８の各ワイヤ及びデータコネクタ６６０の接点６６２に電気的かつ論理的に接続される接点６７２を有する。コネクタ６６６、６６８及び６７０と共に封止が形成されて、第２の連結部６２６の内部と環境との間の液密封止を形成してもよい。
【００５３】
遠隔電力コンソール６１２のハウジング６１４内には、駆動軸６３０及び６３２並びにステアリングケーブル６３４、６３５、６３６及び６３７を駆動し、それによって、電気機械駆動部構成要素６１０と第２の連結部６２６に結合された外科用装置１１とを動作するように構成された電気機械駆動部構成要素が配置される。図１４に概略的に示される一例の実施形態において、電力源によってそれぞれ動作される５つの電気モータ６７６、６８０、６８４、６９０及び６９６は、遠隔電力コンソール６１２内に配置されてもよい。ただし、当然ながら、任意の適切な数のモータが設けられてもよく、また、モータは、電池電源、線電流、ＤＣ電源、電子的に制御されたＤＣ電源などによって動作されてもよい。また、当然ながら、モータは、ＤＣ電源に接続され、それが次に線電流に接続され、線電流がモータに対して動作電流を供給してもよい。
【００５４】
図１４は、モータの１つの可能な配置を概略的に示す。第１の連結部６２２ひいては可撓性軸６２０がハウジング６１４と係合されると、第１のモータ６７６の出力軸６７８が第１の連結部６２２の第１のコネクタ６４４と係合し、これにより第２の連結部６２６の第１の駆動軸６３０及び第１のコネクタ６６６が駆動される。同様に、第１の連結部６２２ひいては可撓性軸６２０がハウジング６１４と係合されると、第２のモータ６８０の出力軸６８２が第１の連結部６２２の第２のコネクタ６４８と係合し、これにより第２の連結部６２６の第２の駆動軸６３２及び第２のコネクタ６６８が駆動される。第１の連結部６２２ひいては可撓性軸６２０がハウジング６１４と係合されると、第３のモータ６８４の出力軸６８６が第１の連結部６２２の第３のコネクタ６５２と係合し、これにより第１のプーリ装置６８８を介して第１のステアリングケーブル６３４及び第２のステアリングケーブル６３５が駆動される。第１の連結部６２２ひいては可撓性軸６２０がハウジング６１４と係合されると、第４のモータ６９０の出力軸６９２が第１の連結部６２２の第４のコネクタ６５６と係合し、これにより第２のプーリ装置６９４を介して第３のステアリングケーブル６３６及び第４のステアリングケーブル６３７が駆動される。第３のモータ６８４及び第４のモータ６９０は、キャリッジ１１００上に固定されてもよく、キャリッジは、第３のモータ６８４及び第４のモータ６９０をプーリ装置６８８及び６９４それぞれと選択的に係合／係脱するように第５のモータ６９６の出力軸６９８を介して第１の位置と第２の位置との間で選択的に移動可能であり、これにより可撓性軸６２０が必要に応じて緊張して操作可能または弛緩可能となる。当然ながら、他の機械的、電気的及び／または電気機械的機構などは、ステアリング機構を選択的に係合／係脱するために使用されてもよい。モータは、例えば現在は２００３年２月１１日付で米国特許第６５１７５６５号明細書として発行されている、２０００年２月２２日出願の「A Carriage Assembly for Controlling a Steering Wire Mechanism Within a Flexible Shaft」という名称の米国特許出願第０９／５１０９２３号に記載されているように配置、構成されており、
その全体が参考により本明細書に明示的に組み込まれてもよい。
【００５５】
当然ながら、モータ６７６、６８０、６８４、６９０及び６９６の任意の１つまたは複数は、例えば、高速／低トルクモータ、低速／高トルクモータなどであってもよい。上述したように、第１の回転可能な駆動軸６３０及び第２の回転可能な駆動軸６３２は、高速及び低トルクを伝達するように構成されうる。したがって、第１のモータ６７６及び第２のモータ６８０は、高速／低トルクモータとして構成されてもよい。あるいは、第１のモータ６７６及び第２のモータ６８０は、第１のモータ６７６及び第２のモータ６８０と第１の回転可能な駆動軸６３０及び第２の回転可能な駆動軸６３２それぞれの１つとの間に配置された減トルク／増速ギア装置を備えた低速／高トルクモータとして構成されてもよい。そのような減トルク／増速ギア装置は、例えば、平歯車装置、遊星ギア装置、ハーモニックギア装置、サイクロイド駆動装置、エピサイクリックギア装置などを含んでもよい。当然ながら、任意のそのようなギア装置が、遠隔電力コンソール６１２内または可撓性軸６２０の近位端部内、例えば第１の連結部６２２内に配置されてもよい。当然ながら、駆動軸のワインドアップまたは破損を防ぐため、ギア装置が、第１の回転可能な駆動軸６３０及び／または第２の回転可能な駆動軸６３２の遠位端部及び／または近位端部に設けられてもよい。
【００５６】
次に図１５を参照すると、電気機械駆動部構成要素６１０の概略図が示される。コントローラ１１２２は、遠隔の電力コンソール６１２のハウジング６１４内に設けられ、電気機械駆動部構成要素６１０並びに線形のクランプ、切断及びステープル留め装置１１または可撓性軸６２０に結合された他の外科用器具またはアタッチメントのすべての機能及び動作を制御するように構成される。メモリ素子１１３０は、設けられおり、ＲＯＭ構成要素１１３２、ＲＡＭ構成要素１１３４などの記憶装置を含んでもよい。ＲＯＭ構成要素１１３２は、ライン１１３６を介してコントローラ１１２２と電気的かつ論理的に連通しており、ＲＡＭ構成要素１１３４は、ライン１１３８を介してコントローラ１１２２と電気的かつ論理的に連通している。ＲＡＭ構成要素１１３４は、例えば磁気記憶装置、光学記憶装置、光磁気記憶装置、電子記憶装置のような任意のタイプのランダムアクセスメモリを含んでもよい。同様に、ＲＯＭ構成要素１１３２は、例えばＰＣカードまたはＰＣＭＣＩＡタイプの装置などのリムーバブル記憶装置のような任意のタイプのリードオンリーメモリを含んでもよい。当然ながら、ＲＯＭ構成要素１１３２及びＲＡＭ構成要素１１３４は、単一のユニットまたは別個のユニットとして構成されてもよく、ＲＯＭ構成要素１１３２及び／またはＲＡＭ構成要素１１３４は、ＰＣカードまたはＰＣＭＣＩＡタイプの装置の形態で設けられてもよい。
【００５７】
コントローラ１１２２は、さらに、ライン１１５４を介してハウジング６１４の前面パネル６１５であってより具体的にはディスプレイ装置６１６に接続されており、ライン１１５６及び１１５８それぞれを介してインジケータ６１８ａ及び６１８ｂに接続されている。ライン１１１６、１１１８、１１２４、１１２６及び１１２８は、コントローラ１１２２を、第１のモータ６７６、第２のモータ６８０、第３のモータ６８４、第４のモータ６９０及び第５のモータ６９６それぞれに電気的かつ論理的に接続する。有線の遠隔制御装置（「ＲＣＵ」）１１５０は、ライン１１５２を介してコントローラ１１２２に電気的かつ論理的に接続される。また、無線ＲＣＵ１１４８は、ライン１１４４を介してトランシーバ１１４０に接続された受信／送信装置１１４６と無線リンク１１６０を介して設けられており、通信する。トランシーバ１１４０は、ライン１１４２を介してコントローラ１１２２に電気的かつ論理的に接続される。無線リンク１１６０は、例えば赤外線リンクなどの光学リンク、無線リンクまたは他の任意の形態の無線通信リンクであってもよい。
【００５８】
例えばＤＩＰスイッチのアレイを含みうるスイッチ装置１１８６は、ライン１１８８を介してコントローラ１１２２に接続されてもよい。スイッチ装置１１８６は、例えばメッセージ及びプロンプトをディスプレイ装置６１６の表示に用いられる複数の言語の１つを選択するように構成されてもよい。メッセージ及びプロンプトは、例えば電気機械駆動部構成要素６１０及び／またはそれに結合された外科用装置１１の動作及び／または状態に関連してもよい。
【００５９】
本発明の一例の実施形態によれば、第１のエンコーダ１１０６が第２の連結部６２６内に設けられ、第１の駆動軸６３０の回転に応答してそれにしたがって信号を出力するように構成される。また、第２のエンコーダ１１０８は、第２の連結部６２６内に設けられ、第２の駆動軸６３２の回転に応答してそれにしたがって信号を出力するように構成される。エンコーダ１１０６及び１１０８それぞれにより出力される信号は、駆動軸６３０及び６３２それぞれの回転位置と、それらの回転方向とを表してもよい。そのようなエンコーダ１１０６及び１１０８は、例えばホール効果装置、光学装置などを含んでもよい。エンコーダ１１０６及び１１０８は第２の連結部６２６内に配置されるものとして記載されるが、当然ながら、エンコーダ１１０６及び１１０８は、モータシステムと外科用装置１１との間の任意の位置に設けられてもよい。当然ながら、エンコーダ１１０６及び１１０８を、第２の連結部６２６内または可撓性軸６２０の遠位端部に設けることにより、駆動軸の回転を正確に判断できる。エンコーダ１１０６及び１１０８が可撓性軸６２０の近位端部に配置された場合、第１及び第２の回転可能な駆動軸６３０及び６３２のワインドアップ(windup)によって、測定誤差が生じることがある。
【００６０】
図１６は、ホール効果装置を含むエンコーダ１１０６及び１１０８の概略図である。駆動軸６３０及び６３２には、Ｎ極１２４２及びＳ極１２４４を有する磁石１２４０が回転不能に取り付けられる。エンコーダ１１０６及び１１０８は、さらに駆動軸６３０及び６３２の長手方向軸線すなわち回転軸線に対して約９０°離れて配置された第１のセンサ１２４６及び第２のセンサ１２４８を有する。センサ１２４６及び１２４８の出力は、持続性であり、センサの検出範囲内における磁界の極性の変化に応じて状態を変える。したがって、エンコーダ１１０６及び１１０８からの出力信号に基づいて、駆動軸６３０及び６３２の角度位置は、４分の１回転内で判断されてもよく、駆動軸６３０及び６３２の回転方向が判断されてもよい。エンコーダ１１０６及び１１０８それぞれの出力は、データ転送ケーブル６３８のライン１１１０及び１１１２それぞれを介してコントローラ１１２２に送信される。コントローラ１１２２は、エンコーダ１１０６及び１１０８からの出力信号に基づいた駆動軸６３０及び６３２の角度位置及び回転方向を追跡し、それにより、電気機械駆動部構成要素６１０に接続された外科用装置の構成要素の位置及び／または状態を判断してもよい。すなわち、駆動軸６３０及び６３２の回転を計数することによって、コントローラ１１２２は、電気機械駆動部構成要素６１０に接続された外科用装置の構成要素の位置及び／または状態を判断してもよい。
【００６１】
例えば、第１の顎部８０と第２の顎部５０とスラストプレート５０２との間の前進距離は、駆動軸６３０及び６３２それぞれの回転の関数であり、それらに基づいて確認することができる。ある時点での第２の顎部５０及びスラストプレート５０２の絶対位置を確認することにより、エンコーダ１１０６及び１１０８からの出力信号とネジ５２１とネジ５０３及び５０４との既知のピッチとに基づいた第２の顎部５０及びスラストプレート５０２の相対変位は、その後のすべての時点での第１の顎部８０及びスラストプレート５０２の絶対位置を確認するのに使用されてもよい。第２の顎部５０及びスラストプレート５０２の絶対位置は、外科用装置１１が可撓性軸６２０に最初に連結された時点で固定され、確認されてもよい。あるいは、例えば第１の顎部８０に対する第２の顎部５０及びスラストプレート５０２の位置は、エンコーダ１１０６及び１１０８からの出力信号に基づいて判断されてもよい。
【００６２】
外科用装置１１は、さらに、図８Ｅに示されるように、第２の連結部６２６のコネクタ６７０に電気的かつ論理的に接続するようにサイズ及び構成が適合されたデータコネクタ１２７２を有してもよい。一例の実施形態において、データコネクタ１２７２は、コネクタ６７０のリード線６７２の数に等しい数の接点を有する。メモリモジュール５０１は、データコネクタ１２７２と電気的かつ論理的に接続される。メモリモジュール５０１は、例えばＥＥＰＲＯＭ、ＥＰＲＯＭなどの形態であってもよく、例えば、外科用装置１１の第２の顎部５０内に収容されてもよい。
【００６３】
図１７は、メモリモジュール５０１を概略的に示す。図１７からわかるように、データコネクタ１２７２は、ライン１２７８それぞれによってメモリモジュール５０１にそれぞれ電気的かつ論理的に接続された接点１２７６を有する。メモリモジュール５０１は、例えばシリアル番号データ１１８０、アタッチメントタイプ識別子（ＩＤ）データ１１８２及び利用データ１１８４を格納するように構成されてもよい。メモリモジュール５０１は、付加的に他のデータを格納してもよい。シリアル番号データ１１８０及びＩＤデータ１１８２の双方は、リードオンリーデータとして構成されてもよい。シリアル番号データ１１８０及び／またはＩＤデータ１１８２は、メモリモジュール５０１のリードオンリー部分に格納されてもよい。一例の実施形態において、シリアル番号データ１１８０は、特定の外科用装置を一意に識別するデータであってもよく、一方、ＩＤデータ１１８２は、例えば他のタイプの外科用器具またはアタッチメントを結合することが可能なシステム６１０内などのアタッチメントのタイプを識別するデータであってもよい。利用データ１１８４は、例えば外科用装置１１の第１の顎部８０が開閉された回数または外科用装置１１のスラストプレートが前進された回数のような特定のアタッチメントの利用を表してもよい。利用データ１１８４は、メモリモジュール５０１の読取り／書込み部分に格納されてもよい。
【００６４】
当然ながら、例えば外科用装置１１などの可撓性軸６２０の遠位端部６２４に結合可能なアッタチメントは、１または複数回使用されるように設計、構成されてもよい。また、アタッチメントは、予定された回数使用されるように設計、構成されてもよい。したがって、利用データ１１８４は、外科用装置１１が使用されたかまたは使用回数が容認された最大使用回数を超えているかを判断するのに使用されてもよい。さらに後述されるように、容認された最大使用回数に達した後にアタッチメントを使用しようとすると、ＥＲＲＯＲ条件が生成されるだろう。
【００６５】
さらに図１５を参照すると、コントローラ１１２２は、外科用装置１１が最初に可撓性軸６２０に接続されると、外科用装置１１のメモリモジュール５０１からＩＤデータ１１８２を読み取るように構成される。メモリモジュール５０１は、データ転送ケーブル６３８のライン１１２０を介してコントローラ１１２２に電気的かつ論理的に接続される。読み取られたＩＤデータ１１８２に基づいて、コントローラ１１２２は、メモリ素子１１３０から可撓性軸６２０に接続された外科用器具もしくはアタッチメントのタイプに対応する動作プログラムもしくはアルゴリズムを読み取るか、または選択するように構成される。メモリ素子１１３０は、利用可能な各タイプの外科用器具またはアタッチメントの動作プログラムもしくはアルゴリズムを格納するように構成され、コントローラ１１２２は、結合された外科用器具またはアタッチメントのメモリモジュール５０１から読み取ったＩＤデータ１１８２にしたがって、メモリ素子１１３０から動作プログラムもしくはアルゴリズムを選択し、かつ／または読み取る。上述したように、メモリ素子１１３０は、取外し可能なＲＯＭ構成要素１１３２及び／またはＲＡＭ構成要素１１３４を有してもよい。したがって、メモリ素子１１３０に格納された動作プログラムもしくはアルゴリズムは、必要に応じて、更新、追加、消去、改良または別の方法で修正されてもよい。メモリ素子１１３０に格納された動作プログラムまたはアルゴリズムは、例えばユーザの専門的な必要性に基づいてカスタマイズ可能であってもよい。例えばキーボード、マウス、ポインティングデバイス、タッチスクリーンなどのデータ入力装置は、動作プログラムもしくはアルゴリズムのカスタマイズを容易にするため、例えばデータコネクタポートを介してメモリ素子１１３０に接続されてもよい。代わりの方法またはそれに加えて、動作プログラムまたはアルゴリズムは、電気機械駆動部構成要素６１０から遠隔でカスタマイズされ、メモリ素子１１３０に予めプログラムされてもよい。当然ながら、シリアル番号データ１１８０及び／または利用データ１１８４は、複数の動作プログラムまたはアルゴリズムのいずれがメモリ素子１１３０から読み取られたかまたは選択されたかを判断するのにも使用されてもよい。当然ながら、動作プログラムもしくはアルゴリズムは、別の方法として外科用装置１１のメモリモジュール５０１に格納され、データ転送ケーブル６３８を介してコントローラ１１２２に転送されてもよい。適切な動作プログラムまたはアルゴリズムがコントローラ１１２２によって読み取られ、選択されまたはそれに送信されると、コントローラ１１２２は、有線ＲＣＵ１１５０及び／または無線ＲＣＵ１１４８を介したユーザによる動作にしたがって、動作プログラムまたはアルゴリズムを実行する。上述したように、コントローラ１１２２は、ライン１１１６、１１１８、１１２４、１１２６、１１２８それぞれを介して、第１のモータ６７６、第２のモータ６８０、第３のモータ６８４、第４のモータ６９０及び第５のモータ６９６に電気的かつ論理的に接続され、各ライン１１１６、１１１８、１１２４、１１２６、１１２８を介して読み取られ、選択されまたは送信された動作プログラムまたはアルゴリズムにしたがって、そのようなモータ６７６、６８０、６８４、６９０、６９６を制御するように構成される。当然ながら、メモリ素子５０１に関する上述の特徴及び動作は、例えばステープルカートリッジアセンブリ５０７に対応する図８Ａを参照のように、メモリ素子５０１１にも適用可能であってもよい。
【００６６】
次に図１８を参照すると、無線ＲＣＵ１１４８の概略図が見える。無線ＲＣＵ１１４８は、四方ロッカー(four-way rocker)１３１０の下に配置された複数のスイッチ１３０２、１３０４、１３０６、１３０８を有するステアリングコントローラ１３００を有する。スイッチ１３０２及び１３０４の動作は、ロッカー１３１０を介して第３のモータ６８４による第１のステアリングケーブル６３４及び第２のステアリングケーブル６３５の動作を制御する。同様に、スイッチ１３０６及び１３０８の動作は、ロッカー１３１０を介して、第４のモータ６９２による第３のステアリングケーブル６３６及び第４のステアリングケーブル６３７の動作を制御する。当然ながら、ロッカー１３１０及びスイッチ１３０２、１３０４、１３０６、１３０８は、スイッチ１３０２、１３０４の動作が南北方向(north-south direction)に可撓性軸６２０を操作し、スイッチ１３０６及び１３０８の動作が東西方向(east-west direction)に可撓性軸６２０を操作するように配置される。本明細書において、東西南北とは、相対座標系に対して言及される。あるいは、デジタルジョイスティック、アナログジョイスティックなどが、ロッカー１３１０及びスイッチ１３０２、１３０４、１３０６、１３０８の代わりに設けられてもよい。また、ポテンショメータまたは他の任意のタイプのアクチュエータは、スイッチ１３０２、１３０４、１３０６、１３０８の代わりに使用されてもよい。
【００６７】
無線ＲＣＵ１１４８は、さらにステアリング係合／係脱スイッチ１３１２を有し、その動作は、第５のモータ６９６の動作を制御して、ステアリング機構を選択的に係合／係脱する。無線ＲＣＵ１１４８は、さらに第１のスイッチ１３１６及び第２のスイッチ１３１８がそれによって動作可能になる二方ロッカー(two-way rocker)１３１４を有する。これらのスイッチ１３１６、１３１８の動作は、結合された装置１１に対応する動作プログラムまたはアルゴリズムにしたがって、電気機械駆動部構成要素６１０及び可撓性軸６２０に結合された外科用装置１１などの任意の外科用器具またはアタッチメントの特定の機能を制御する。例えば、二方ロッカー１３１４の動作は、外科用装置１１の第１の顎部８０及び第２の顎部５０の開閉を制御してもよい。無線ＲＣＵ１１４８は、さらに別のスイッチ１３２０を備えてもよく、その動作は、結合された装置に対応する動作プログラムもしくはアルゴリズムにしたがって、電気機械駆動部構成要素６１０と可撓性軸６２０に結合された装置１１との動作をさらに制御してもよい。例えば、スイッチ１３２０の動作によって、外科用装置１１のスラストプレート５０２の前進が開始されてもよい。
【００６８】
無線ＲＣＵ１１４８は、コントローラ１３２２を有し、コントローラは、ライン１３２４を介してスイッチ１３０２、１３０４、１３０６、１３０８と、ライン１３２６を介してスイッチ１３１６、１３１８と、ライン１３２８を介してスイッチ１３１２と、ライン１３３０を介してスイッチ１３２０と、電気的かつ論理的に接続される。無線ＲＣＵ１１４８は、前面パネル６１５のインジケータ６１８ａ、６１８ｂに対応するインジケータ６１８ａ’及び６１８ｂ’と、前面パネル６１５のディスプレイ装置６１６に対応するディスプレイ装置６１６’とを有してもよい。インジケータ６１８ａ’、６１８ｂ’及びディスプレイ装置６１６’が設けられた場合、インジケータ６１８ａ’、６１８ｂは、ライン１３３２、１３３４それぞれを介してコントローラ１３２２に電気的かつ論理的に接続され、ディスプレイ装置６１６’は、ライン１３３６を介してコントローラ１３２２に電気的かつ論理的に接続される。コントローラ１３２２は、ライン１３４０を介してトランシーバ１３３８に電気的かつ論理的に接続され、トランシーバ１３３８は、ライン１３４４を介して送受信機１３４２に電気的かつ論理的に接続される。例えば電池などの電源は、無線ＲＣＵ１１４８に電力供給するために内部に設けられてもよい。したがって、無線ＲＣＵ１１４８は、無線リンク１１６０を介して、電気機械駆動部構成要素６１０と可撓性軸６２０に結合された装置１１との動作を制御するのに使用されてもよい。
【００６９】
無線ＲＣＵ１１４８は、ライン１３４８を介してコントローラ１３２２に接続されたスイッチ１３４６を有してもよい。スイッチ１３４６の動作によって、無線リンク１１６０を介して送受信機１１４６にデータ信号が送信される。データ信号は、無線ＲＣＵ１１４８を一意に識別する識別データを含む。この識別データは、電気機械駆動部構成要素６１０の無許可の動作を防いで別の無線ＲＣＵによる電気機械駆動部構成要素６１０の動作に対する干渉を防ぐため、コントローラ１１２２によって使用される。無線ＲＣＵ１１４８と電気機械駆動部構成要素６１０との間のその後の通信それぞれは、識別データを含んでもよい。したがって、コントローラ１１２２は、無線ＲＣＵを区別し、それによって、単一の識別可能な無線ＲＣＵ１１４８のみが、電気機械駆動部構成要素６１０と可撓性軸６２０に結合された装置１１との動作を制御できるようにしてもよい。
【００７０】
エンコーダ１１０６、１１０８からの出力信号にしたがって判断されるような可撓性軸６２０に結合された装置の構成要素の位置に基づいて、コントローラ１１２２は、結合された装置に対応する動作プログラムまたはアルゴリズムによって規定されるような電気機械駆動部構成要素６１０の機能を選択的に使用可能または使用不能にしてもよい。例えば外科用装置１１の場合、スイッチ１３２０の動作によって制御される発射(firing)機能は、第２の顎部５０と第１の顎部８０との間の空間または間隙が許容可能な範囲内であると判断されない限り使用不能になる。
【００７１】
次に図１９を参照すると、有線ＲＣＵ１１５０の概略図が示される。一例の実施形態では、有線ＲＣＵ１１５０は、無線ＲＣＵ１１４８とほぼ同じ制御要素を含み、そのような要素のさらなる記載を省略する。同様の要素は添えられたプライム（’）によって図１９に示される。当然ながら、電気機械駆動部構成要素６１０と可撓性軸６２０に結合された装置、例えば外科用装置１１との機能は、有線ＲＣＵ１１５０及び／または無線ＲＣＵ１１４８によって制御されてもよい。例えば無線ＲＣＵ１１４８内の電池が故障した場合、有線ＲＣＵ１１５０は、電気機械駆動部構成要素６１０と可撓性軸６２０に結合された装置との機能を制御するために使用されてもよい。
【００７２】
上述したように、ハウジング６１４の前面パネル６１５は、ディスプレイ装置６１６及びインジケータ６１８ａ、６１８ｂを有する。ディスプレイ装置６１６は、ＬＣＤディスプレイ装置などの英数字ディスプレイ装置を有してもよい。ディスプレイ装置６１６は、さらにスピーカ、ブザーなどの音声出力装置を有してもよい。ディスプレイ装置６１６は、例えば外科用装置１１などの可撓性軸６２０に結合された装置に対応する動作プログラムまたはアルゴリズムにしたがって、コントローラ１１２２によって動作、制御される。外科用器具またはアタッチメントがそのように結合されていない場合、デフォルト動作プログラムまたはアルゴリズムが、コントローラ１１２２によって読み取られ、選択され、またはそれに送信され、それにより、ディスプレイ装置６１６の動作と電気機械駆動部構成要素６１０の他の態様及び機能とが制御されてもよい。外科用装置１１が可撓性軸６２０に結合されている場合、ディスプレイ装置６１６は、例えばより詳細に前述したエンコーダ１１０６及び１１０８の出力信号にしたがって判断されるような第２の顎部５０と第１の顎部８０の間の間隙を示すデータを表示してもよい。
【００７３】
同様に、インジケータ６１８ａ、６１８ｂは、例えば外科用装置１１などの可撓性軸６２０に結合された装置１１に対応する動作プログラムまたはアルゴリズムにしたがって、コントローラ１１２２によって動作、制御される。インジケータ６１８ａ及び／またはインジケータ６１８ｂは、スピーカ、ブザーなどの音声出力装置及び／またはＬＥＤ、ランプ、光などの視覚的インジケータ装置を有してもよい。外科用装置１１が可撓性軸６２０に結合されている場合、インジケータ６１８ａは、例えば電気機械駆動部構成要素６１０が電力ＯＮ状態にあることを示してもよく、また、インジケータ６１８ｂは、例えば第２の顎部５０と第１の顎部８０の間の間隙が許容範囲内にあると判断されるかどうかを示してもよい。当然ながら、２つのインジケータ６１８ａ、６１８ｂを記載したが、必要に応じて任意の数の追加のインジケータが形成されてもよい。さらに、当然ながら、単一のディスプレイ装置６１６を記載したが、必要に応じて任意の数の追加のディスプレイ装置が提供されてもよい。
【００７４】
有線ＲＣＵ１１５０のディスプレイ装置６１６’及びインジケータ６１８ａ’、６１８ｂ’と、無線ＲＣＵ１１４８のディスプレイ装置６１６”及びインジケータ６１８ａ”、６１８ｂ”とは、同様に、可撓性軸６２０に結合された装置の動作プログラムもしくはアルゴリズムにしたがって、各コントローラ１３２２及び１３２２’によって動作、制御される。
【００７５】
上述したように、外科用装置１１は、組織の一片をクランプし、切断し、ステープル留めするように構成されてもよい。次に、外科用装置１１の動作を患者の腸内の組織の癌性部分または異常部分の除去と共に記載するが、これは組織の１つのタイプにすぎず、外科用装置１１を使用して行われてもよい手術の１つのタイプにすぎない。一般に、動作中において胃腸管内の癌性組織または異常組織の位置が発見された後、患者の腹部は、腸を露出させるために最初に開かれる。電気機械駆動部構成要素６１０によってもたらされる遠隔操作にしたがって、外科用装置１１の第１の顎部８０及び第２の顎部５０は、第１の駆動部によって開位置へ駆動される。上述したように、外科用装置１１は最初に開位置で保持され、それにより、外科用装置１１を最初に開位置へ駆動する必要がなくなる。癌組織に隣接している側の腸の管は、第１の顎部８０に隣接して置かれる。第２の顎部５０は、例えば図９に示される回転した位置にある。遠隔操作によって第１の駆動部が逆に係合され、第２の顎部５０は、第１の顎部８０に向けて移動される。最初に、第２の顎部５０は、回転した位置にあり、顎部が開位置と閉位置との間にあると、第２の顎部５０が第１の顎部８０と整列するように回転されるまで移動する。顎部が互いに対して垂直に整列すると、第１及び第２の顎部は、第１の顎部８０が第２の顎部５０に対して閉じてそれらの間に腸片をクランプするまで、互いに近づく。腸が十分にクランプされると、第２の駆動部が係合され、それによりスラストプレート（ステープルプッシャ及びそれに取り付けられたナイフを有する）が、図５に示される第１の位置と図６に示される第２の位置との間に移動し、それにより腸が切断されステープル留めされる。次に、第２の駆動部は逆に係合され、それによってステープルプッシャ及びナイフが図５に示される第１の位置に戻る。次に、第１の駆動部が係合されて、外科用装置１１の第１の顎部８０及び第２の顎部５０を駆動して開位置に戻す。次に、これらのステップは癌組織の反対側で繰り返され、それによって癌組織を含む腸の一片が除去され、それがいずれかの端部でステープル留めされて、腸の物質が開いた腹部に流出することが防止される。
【００７６】
より具体的には、本発明の一例の実施形態において、外科用装置１１は、第１の駆動ソケット１８０が電気機械駆動部構成要素６１０の第１の駆動軸６３０と係合し、第２の駆動ソケット３１０が電気機械駆動部構成要素６１０の第２の駆動軸６３２と係合するようにして、電気機械駆動部構成要素６１０のアタッチメント連結部６２６に連結される。したがって、ピニオン５０８ａ（図示なし）の回転は、電気機械駆動部構成要素６１０の対応する駆動軸６３０の回転によってもたらされる第１の駆動ソケット１８０の回転によってもたらされる。ピニオン５０８ａの時計回りまたは反時計回りの回転は、モータ６８０の回転方向に応じて達成される。ピニオン５０８ｂ（図示なし）の回転は、電気機械駆動部構成要素６１０の対応する駆動軸６３２の回転によってもたらされる第２の駆動ソケット３１０の回転によってもたらされる。ピニオン５０８ｂの時計回りまたは反時計回りの回転は、モータ６７６の回転方向に応じて達成される。
【００７７】
外科用装置１１が図４に示されるような最初の閉位置にあると、第１のモータ６８０は、外科用装置を開位置に置くために動作される。具体的には、第１の駆動軸６３０に対応する第１のモータ６８０が作動されて第１の駆動ソケット１８０と係合し、それによってピニオン５０８ａが例えば反時計回りの第１の回転方向に回転する。ピニオン５０８ａの周囲に配置されたギア歯部は平歯車５２９ａの周囲に配置されたギア歯部５２９１と係合するので、ピニオン５０８ａの回転により、平歯車が例えばピニオン５０８ａの回転方向とは反対の時計回りの第１の回転方向に回転する。第１の平歯車５２９ａの内部ボア５２９３が第１のウォーム５２３ａの端部５２３１と係合するので、第１のウォーム５２３ａは、例えば時計回りで第１の平歯車５２９ａと同じ方向に回転する。ウォーム５２３ａのネジ山５２３３がウォームギアの５２２ギア歯部５２２１と係合するので、ウォームギア５２２は例えば上から見た場合の反時計回りの第１の方向に回転する。ウォームギア５２２の内部ボアがネジ５２１を回転不能に係合し、それによって、ネジ５２１は、例えば上から見た場合の反時計回りの第１の方向に回転する。ネジ５２１の外部に配置されたネジ山５２１４は、回転アーム５０９の内側がネジ切りされたボア５０５１のネジ山と係合し、それによって、回転アーム５０９及びそれに結合されたアンビル５０５は、例えば第１の顎部８０から離れる下向きの方向に移動する。回転アームスリーブ内のカムフォロワ５７１が回転アーム５０９のチャネル５０５２の湾曲部分と係合すると、回転アーム５０９及びそれに結合されたアンビル５０５は、第１の顎部８０との整列から外れるように回転する。このようにしてモータが連続動作することで、外科用装置１１は最終的に開状態に置かれて、図３に示されるように、第１の顎部８０と第２の顎部５０との間に空間を形成する。
【００７８】
次に、組織の一片は、第１の顎部８０と第２の顎部５０との間に置かれる。第１のモータ６８０は、外科用装置を閉位置に置くため逆に動作される。具体的には、第１の駆動軸６３０に対応する第１のモータ６８０が作動されて第１の駆動ソケット１８０と係合し、それによって、ピニオン５０８ａが例えば時計回りの第２の回転方向に回転する。ピニオン５０８ａの周囲に配置されたギア歯部（図示なし）は平歯車５２９ａの周囲に配置されたギア歯部５２９１と係合されるので、ピニオン５０８ａの回転によって平歯車５２９ａが例えばピニオン５０８ａの回転方向とは反対の反時計回りの第２の方向に回転する。第１の平歯車５２９ａの内部ボア５２９３は、第１の平歯車５２９ａの回転により、第１のウォーム５２３ａが例えば反時計回りに第１の平歯車５２９ａと同じ方向に回転するようにして、第１のウォームギア５２３ａの端部５２３１と係合される。ウォームギア５２３ａのネジ山５２３３は、第１のウォーム５２３ａの回転により、ウォームギア５２２が例えば上から見た場合の時計回りの第２の方向に回転するようにして、ウォームギア５２２のウォームギア歯部５２２１と係合される。ウォームギア５２２の内部ボアは、ウォームギア５２２の回転により、ネジ５２１が例えば上から見た場合の時計回りの第２の方向に回転するようにして、ネジ５２１と回転不能に係合される。ネジ５２１の外部に配置されたネジ山５２１４は、ネジ５２１の回転により、回転アーム５０９及び結合されたアンビル５０５が、例えば第１の顎部８０に向かって上向きの方向に移動するようにして、回転アーム５０９の内側がネジ切りされたボア５０５１のネジ山と係合される。さらに、回転アームスリーブ５７０内のボールベアリング５７１は、アンビル５０５が第１の顎部８０に向かって垂直に移動すると、回転アーム５０９及びそれに結合されたアンビル５０５が第１の顎部８０と整列するように回転するようにして、回転アーム５０９のチャネル５０５２と係合する。ピン５１８のギア歯部５１８１は、アンビル５０５のオリフィス５０５７に挿入され、バネ５２４の付勢にしたがって挿入された位置で保持されて、組織の一片を顎部間で保持する。このようにしてモータが連続動作することで、外科用装置１１は最終的に、図４に示されるような、第１の顎部８０と第２の顎部５０との間で組織がクランプされる閉状態に置かれる。この閉状態では、ステープル留めされ切断される組織の一片は、ステープルホルダ５１３とアンビル５０５との間でクランプされる。
【００７９】
ステープル留め及び切断処置を開始するため、第２のモータ６７６は、スラストプレート５０２を例えば後退位置などの第１の上昇位置から例えば延長位置などの第２の降下位置、まで移動させるために作動される。具体的には、第２の駆動軸６３２に対応する第２のモータ６７６が作動される。第２の駆動軸６３２は、第２の駆動軸６３２が例えば時計回りの第１の方向に回転することにより、ピニオン５０８ｂが例えば時計回りの第１の回転方向に回転するようにして、第２の駆動ソケット３１０と係合される。ピニオン５０８ｂの係合端部は、ピニオン５０８ｂが回転することにより、連結要素５２９ｂが例えばピニオン５０８ｂの回転方向と同じ時計回りの第１の方向に回転するようにして、連結要素５２９ｂの内部ボア５２９４と回転不能に係合される。連結要素５２９ｂの内部ボア５２９４は、連結要素５２９ｂが回転することにより、例えば時計回りのように第２のウォーム５２３ｂが連結要素５２９ｂと同じ方向で回転するようにして、第２のウォームギア５２３ｂの端部５２３４と係合される。ウォーム５２３ｂのネジ山５２３６は、第２のウォーム５２３ｂが回転することにより、ウォームギア５１６が例えば上から見た場合の反時計回りの第１の方向に回転するようにして、ウォームギア５１６のウォームギア歯部５１６１と係合される。ウォームギア５１６の内側がネジ切りされたボア５１６４のネジ山は、ネジ５０４のネジ山と係合される。ネジ５０４は、スラストプレート５０２に回転不能に連結されるので、ネジ５０４及びスラストプレート５０２は共に下向きに移動する。同時に、ウォーム５２３ｂのネジ山５２３６は、ウォーム５２３ｂが回転することにより、ウォームギア５１７が例えば上から見た場合の時計回りの第１の方向に回転するようにして、ウォームギア５１７のウォームギア歯部５１７１と係合される。ウォームギア５１７の内側がネジ切りされたボア５１７４のネジ山は、ネジ５０３のネジ山を係合する。また、ネジ５０３は、スラストプレート５０２に回転不能に連結されるので、ネジ５０３及びスラストプレート５０２と共に下向きに移動する。したがって、スラストプレート５０２は連続的に降下し、スラストプレート５０２の底面５０２２に取り付けられたステープルプッシャ５１４及びナイフ５１９も連続的に降下する。
【００８０】
ステープルプッシャ５１４が降下すると、ステープルプッシャ５１４の下向きに配置された歯部５１４３は、ステープルホルダ５１３の溝部５１３２に押し通される。最初にステープルホルダ５１３の溝部５１３２内に配置されるステープル５２８は、下向きに押され、溝部５１３２の下側開口部から出て、ステープル５２８のプロング５２８１がアンビル５０５において対応するステープルガイド５０５３に接触するまで、クランプされた組織に通される。ステープルガイド５０５３は、ステープル５２８のプロング５２８１を曲げて閉じ、それによって組織をステープル留めする。同時に、スラストプレート５０２の底面５０２２に取り付けられたナイフ５１９は、アンビル５０５のナイフパッド５２０に接触するまで、ステープルホルダ５１３の長手方向に配置された溝部５１３１を通過し、それによってクランプされた組織を切断する。
【００８１】
ステープル留め及び切断処置が行われると、第２のモータ６７６が作動されて、スラストプレート５０２が、第２の降下位置から第１の上昇位置まで移動する。具体的には、第２の駆動ソケット３１０と係合された第２の駆動軸６３２に対応する第２のモータ６７６が作動される。第２の駆動軸６３２が回転することにより、ピニオン５０８ｂが例えば反時計回りの第２の方向に回転する。ピニオン５０８ｂの係合端部は、ピニオン５０８ｂがこのように回転することにより、連結要素５２９ｂが例えば反時計回りの第２の方向に回転するようにして、連結要素５２９ｂの内部ボア５２９４と回転不能に係合される。また、連結要素５２９ｂの内部ボア５２９４は、連結要素５２９ｂが回転することにより、第２のウォーム５２３ｂが例えば反時計回りの第２の方向に回転するようにして、第２のウォーム５２３ｂの端部５２３４と係合される。ウォーム５２３ｂのネジ山５２３６は、ウォーム５２３ｂが回転することにより、ウォームギア５１６が例えば上から見た場合の時計回りの第２の方向に回転するようにして、ウォームギア５１６の周囲に配置されたウォームギア歯部５１６１と係合される。ウォームギア５１６の内側がネジ切りされたボア５１６４のネジ山は、ネジ５０４のネジ山と係合され、ネジ５０４がスラストプレート５０２に回転不能に連結されているので、ネジ５０４及びスラストプレート５０２は、共に上向きに移動される。同時に、ウォーム５２３ｂのネジ山５２３６は、ウォーム５２３ｂが回転することにより、ウォームギア５１７が例えば上から見た場合の反時計回りの第２の方向に回転するようにして、ウォームギア５１７のウォームギア歯部５１７１を係合する。ウォームギア５１７の内側がネジ切りされたボア５１７４のネジ山は、ネジ５０３のネジ山と係合され、ネジ５０３はスラストプレート５０２に回転不能に連結されているので、ネジ５０３及びスラストプレート５０２は、共に上向きに移動する。したがって、スラストプレート５０２は、連続的に上昇し、スラストプレート５０２の底面５０２２に取り付けられたステープルプッシャ５１４及びナイフ５１９は、それらの最初の後退位置まで連続的に上昇する。
【００８２】
組織の切断及びステープル留めが行われ、ナイフ５１９がその後退位置まで戻されると、第１のモータ６８０が作動されて外科用装置が開位置に置かれる。具体的には、第１の駆動軸６３０に対応する第１のモータ６８０が作動される。第１の駆動軸６３０は、第１の駆動軸６３０が回転することにより、ピニオン５０８ａが例えば反時計回りの第１の回転方向で回転するようにして、第１の駆動ソケット１８０と係合される。ピニオン５０８ａのギア歯部は、ピニオン５０８ａが回転することにより、平歯車が例えば時計回りの第１の方向に回転するようにして、平歯車５２９ａのギア歯部５２９１と係合される。第１の平歯車５２９ａの内部ボア５２９３は、第１の平歯車５２９ａが回転することにより、例えば時計回りのように第１のウォーム５２３ａが第１の平歯車５２９ａと同じ方向に回転するようにして、第１のウォーム５２３ａの端部５２３１と係合される。ウォームギア５２３ａのネジ山５２３３は、ウォームギア５２３ａが回転することにより、ウォームギア５２２が例えば上から見た場合の反時計回りの第１の方向に回転するようにして、ウォームギア５２２のウォームギア歯部５２２１と係合される。ウォームギア５２２の内部ボアは、ウォームギア５２２が回転することにより、ネジ５２１が例えば上から見た場合の反時計回りの第１の方向に回転するようにして、ネジ５２１と回転不能に係合される。ネジ５２１の外部に配置されたネジ山５２１４は、ネジ５２１が回転することにより、回転アーム５０９及びそれに結合されたアンビル５０５が例えば第１の顎部８０から離れる方向である下向きに移動し、第１の顎部８０との整列から外れるように回転するようにして、回転アーム５０９の内側がネジ切りされたボア５０５１のネジ山と係合される。したがって、図３に示されるように、外科用装置１１が再び開位置になるまで、第２の顎部５０は、第１の顎部８０から分離される。
【００８３】
その後、外科用装置１１は、電気機械駆動部構成要素から分離されて別の外科用装置１１と交換され、同じクランプ、切断及びステープル留め処置が、例えば異常組織または癌組織の反対側など組織の異なる一片に対して行われてもよい。腸の第２の端部もクランプ、切断及びステープル留めされると、外科用装置１１は、電気機械駆動部構成要素６１０から分離されてもよい。必要に応じて、操作者はアタッチメントを廃棄または再使用のために滅菌してもよい。
【００８４】
外科用装置１１を作動させる前に、較正手順(calibration procedure)が手動または自動で行われてもよいことが知られている。本発明のいくつかの実施形態において、外科用装置１１で使用されてもよいさまざまな較正手順は、２００１年１２月４日出願の米国仮特許出願第６０／３３７５４４号及び２００２年１２月４日出願の米国特許出願第１０／３０９５３２号に記載されており、それらの全体が参考により本明細書に明示的に組み込まれる。
【００８５】
図８Ａ〜図８Ｅに示される本発明の例示の実施形態において、外科用装置１１に次のステープル５２３のアレイを再装填し、外科用装置１１を同一もしくは他の患者または同一もしくは他の手順に再使用するため、例えばステープルホルダ５１３などのステープルカートリッジアセンブリ５０７またはその一部が、操作者によって外科用装置１１から取り外すことができなくてもよいという点で、外科用装置１１は、再装填不能であってもよい。したがって、ステープルホルダ５１３内のステープル５２８を用いて組織の一片をステープル留めするため、外科用装置１１が作動された後、外科用装置１１は、ステープル５２８の新しい組または新しいステープルホルダ５１３を用いて組織の別の一片をステープル留めするため、再び作動できない。外科用装置１１を再装填不能に構成することによって、外科用装置１１を意図的または過失によって２人の異なる患者に対して使用することができなくなり、１人の患者に対して再使用することができないので、汚染または感染のリスクが低減される。しかし、本発明の一例の実施形態において、外科用装置１１は再装填可能であってもよい。例えば、この一例の実施形態において、外科用装置１１は、特定の構成要素を外科用装置１１から取り外すことができ、外科用装置１１に関して交換可能なように構成されてもよい。例えば、一例の実施形態によれば、ステープルカートリッジアセンブリ５０７は、外科用装置１１内に取外し可能に結合されて別のステープルカートリッジアセンブリと交換するため、使用後にハウジング５０６から取り外されてもよい。上側の顎部８０と下側の顎部５０とは、切断されステープル留めされる組織の一片をクランプしているときにカートリッジが不注意で取り外されるのを防ぐため、上顎部８０及び下顎部５０が全開位置にあるときに交換可能なカートリッジが取外し可能であってもよい。一例の実施形態において、ステープルカートリッジアセンブリ５０７または例えばステープルホルダ５１３などその一部が外科用装置１１の内外へ滑動可能なので、ユーザは、ステープル５２８の第１の組が使用された後、ステープル５２８の新しい組を有する新しいステープルカートリッジアセンブリ５０７またはステープルホルダ５１３を外科用装置１１内へ滑動させてもよい。あるいは、ステープルホルダ５１３内のステープル５２８の第１の組が使用されたとき、操作者は、同じステープルホルダ５１３内のステープル５２８を交換し、同じステープルホルダ５１３を再使用してもよい。一例の実施形態において、ピン５１８は、カートリッジキャップ５１５を取外し可能または移動可能にハウジング５０６に接続することができるようにして、ステープルホルダ５１３の穴部５１３３から外れるように後退可能であってもよい。
【００８６】
本発明の別の一例の実施形態において、外科用装置１１は、限定的に再装填可能であってもよい。例えば、外科用装置１１は、ステープルホルダ５１３を１回交換することができるように構成されてもよいので、クランプ、切断及びステープル留め動作が１人の患者に例えば組織の癌性の一片の両側に対して２回行われてもよいが、ステープルホルダ５１３を２回以上交換することはできない。
【００８７】
本発明の別の一例の実施形態において、外科用装置１１は、組織の癌性の一片の一方の側に対して使用される第１の組と、組織の癌性の一片の他方の側に対して使用される第２の組との２組のステープル５２８をステープルホルダ５１３内に保持するように構成されてもよい。外科用装置１１は、任意の数の用途向けに構成されてもよく、その用途は、利用データ１１８４にしたがって決定されてもよいことを理解すべきである。すなわち、メモリモジュール５０１及び／または５０１１は、外科用装置１１が再装填された回数を表すデータを格納するように構成されてもよい。したがって、動作プログラムにしたがって、電気機械駆動部構成要素６１０は、メモリモジュール５０１及び／または５０１１に格納された利用情報に応じて再装填された外科用装置１１が発射されてもよい回数を限定してもよい。
【００８８】
再装填可能に構成された外科用装置１１は、上述の再装填不能な外科用装置１１と同様に操作されてもよい。しかしながら、外科用装置１１が再装填可能であることにより、操作者は、外科用装置１１の操作中に追加のステップを行うことが可能になる。例えば、外科用装置１１が最初に開位置に置かれると、ステープルホルダ５１３は操作者によってアクセスされてもよく、ステープル５２８が処置の準備ができているか及び／またはステープルホルダ５１３をより適切なステープルホルダ５１３と交換する必要があるかを判断するため検査されてもよい。同様に、クランプ、切断及びステープル留め動作が行われ、１組のステープル５２８が使用されると、ステープルホルダ５１３は、ステープルホルダ５１３を別のステープルホルダ５１３と交換するかまたはステープル５２８の別の組を同じステープルホルダ５１３に挿入するため操作者によって再びアクセスされてもよい。
【００８９】
図８Ａ及び図８Ｂに示される本発明の例示の実施形態において、外科用装置１１は、１つ以上の動作範囲で動作するように構成されてもよい。この特徴により、外科用装置１１が異なる厚さを有する組織片により適切に適応できるという利点が提供されてもよい。そのような特徴のさまざまな例が、例えば２００２年１月８日出願の米国仮特許出願第６０／３４６６５６号及び２００２年３月８日出願の米国特許出願第１０／０９４０５１号に記載されており、それらの全体が参考により本明細書に明示的に組み込まれる。
【００９０】
外科用装置１１は、そのさまざまな例示の実施形態によれば、外科用装置１１を動作させるさまざまな動作プログラムも使用してもよく、またはそれらを用いて使用されてもよい。そのような動作プログラムの例が、例えば、２００２年１月８日出願の米国仮特許出願第６０／３４６６５６号及び２００２年３月８日出願の米国特許出願第１０／０９４０５１号に記載されており、上述のようにそれらの全体が参考により本明細書に明示的に組み込まれる。
【００９１】
従来の外科用装置の１つの問題は、装置が使用されるアプローチ角が限定されることがあることである。上述したように、従来の外科用装置は、一般的に、切断またはステープル留めされる組織の一片に垂直な器具軸を使用する。従来の外科用装置が肉体的、例えば患者の体内で使用されるとき、装置は、組織の一片を切断しステープル留めするための単一のアプローチ角に限定される。
【００９２】
対照的に、外科用装置１１は、装置が使用されるアプローチ角を限定しなくてもよい。上述したように、外科用装置１１は、そのさまざまな例示の実施形態において第２の顎部５０に対する第１の顎部８０の移動面に対して例えば垂直に第１の顎部８０に連結されるある角度で、駆動軸６３０及び６３２を有する。したがって、外科用装置１１が例えば患者の体内など体内で使用されるとき、外科用装置１１は単一のアプローチ角に限定されなくてもよい。代わりに、さまざまなアプローチ角が使用されてもよく、それにより、操作者が、組織のさまざまな一片に対して外科用装置をより有効に使用することが可能になってもよい。
【００９３】
従来の外科用装置の別の問題は、患者の体内で操作するのが困難なことがあることである。例えば、従来の外科用装置では、容易に操作できない組織の一片をクランプまたはステープル留めするのに使用されたとき、外科用装置が代わりに操作されなければならない。例えば、肛門断端部に隣接して位置する胃腸組織の一片の場合、組織の一片は、動作を行う前またはその間、操作できないことがある。操作者が使用する必要があるアプローチ角が患者の骨盤と干渉することがあるので、従来の外科用装置はそのような位置で使用することができない。さらに、外科用装置の顎部が開位置にあるとき大きな空間を必要として患者の体内の周辺組織に近接して位置決めすることができないので、従来の外科用装置は、そのような位置で十分に位置決めすることができない。
【００９４】
対照的に、外科用装置１１は、そのさまざまな例示の実施形態において、患者の体内で操作するのがより容易であってもよい。例えば、上述の肛門断端部に隣接した胃腸組織の一片の場合、外科用装置１１は、肛門に最も近い胃腸組織の一片の極めて端部に位置決めすることができる。したがって、第２の顎部５０に対する第１の顎部８０の移動面に対して角度を付けて、例えば垂直に駆動軸６３０及び６３２を配置することにより、患者の体内での外科用装置１１の操作性を改善することができる。さらに、本発明の回転可能な顎部により、開位置にあるときに顎部が必要とする空間が低減される。本発明の外科用装置１１が全開位置にあるとき、第１の顎部８０のみが外科用装置１１の遠位端部に位置決めされ、第２の顎部５０は、第１の顎部８０との整列から外れて回転される。肛門断端部における組織の一片をクランプ、切断、ステープル留めする一例の外科的処置を使用して、第１の顎部８０は、従来の外科用装置によって可能であり得るよりも肛門断端部の近くに位置決めされてもよいが、それは、第２の顎部５０が肛門断端部にすぐ隣接して位置する組織から離れる方向に回転されるためである。外科用装置が閉位置に移動されるとき、第２の顎部５０は徐々に第１の顎部８０と整列するように回転される。第２の顎部５０が第１の顎部８０と最終的に整列するとき、２つの顎部が必要とする空間は、２つの顎部が全開位置で整列していた場合に必要であったよりも少ない。このようにして、外科用装置１１は、患者の体内における改善された位置決め可能性をもたらしてもよい。
【００９５】
その結果、本発明のいくつかの上述の目的及び利点が最も有効に得られる。当業者であれば、本発明の趣旨及び範囲から逸脱することなく、上述の代表的な例示の実施形態がさまざまに変更されてもよいことを認識するであろう。本発明のさまざまな代表的な例示の実施形態を本明細書に詳細に記載し開示してきたが、本発明はいかなる意味でもそれらによって限定されず、その範囲は添付の特許請求の範囲によって決定されることを理解すべきである。
【図面の簡単な説明】
【００９６】
【図１Ａ】従来の外科用装置の側面図である。
【図１Ｂ】従来の線形のクランプ、切断及びステープル留め装置の斜視図である。
【図２】本発明の一例の実施形態による電気機械的外科用システムの斜視図である。
【図３】本発明の一例の実施形態による、開位置にある切断及びステープル留めアタッチメントの斜視図である。
【図４】閉位置にある図３に示される切断及びステープル留めアタッチメントの側面図である。
【図５】後退位置にある図３及び図４に示される切断及びステープル留めアタッチメントの側面図である。
【図６】延長位置にある図３〜図５に示される切断及びステープル留めアタッチメントの側面図である。
【図７】図３及び図４に示される切断及びステープル留めアタッチメントの平面図である。
【図８Ａ】本発明の一例の実施形態によるステープルカートリッジアセンブリの分解組立図である。
【図８Ｂ】本発明の別の一例の実施形態によるスラストプレート構成要素の分解組立図である。
【図８Ｃ】本発明の一例の実施形態によるアンビル構成要素の分解組立図である。
【図８Ｄ】本発明の別の一例の実施形態による側面プレート構成要素の分解組立図である。
【図８Ｅ】本発明の別の一例の実施形態による切断及びステープル留めアタッチメントの部分分解組立図である。
【図９】開位置にある図８Ａ〜図８Ｅに示される切断及びステープル留めアタッチメントの組立斜視図である。
【図１０】図２に示される電気機械的外科用装置の可撓性軸の部分的に断面を示す側面立面図である。
【図１１】図１０に示される線１１−１１に沿った可撓性軸の断面図である。
【図１２】図１０に示される可撓性軸の第１の連結部の背面図である。
【図１３】図１０に示される可撓性軸の第２の連結部の正面図である。
【図１４】図２に示される電気機械的外科用システムのモータ装置の概略図である。
【図１５】図２に示される電気機械的外科用システムの概略図である。
【図１６】図１０に示される可撓性軸のエンコーダの概略図である。
【図１７】本発明の一例の実施形態による、線形のクランプ、切断及びステープル留め装置のメモリ素子の概略図である。
【図１８】図２に示される電気機械的外科用システムの無線遠隔制御ユニットの概略図である。
【図１９】図２に示される電気機械的外科用システムの有線遠隔制御ユニットの概略図である。
【図２０Ａ】本発明の別の一例の実施形態による切断及びステープル留めアタッチメントの図である。
【図２０Ｂ】本発明の別の一例の実施形態による切断及びステープル留めアタッチメントの図である。
【図２０Ｃ】本発明の別の一例の実施形態による切断及びステープル留めアタッチメントの図である。
【符号の説明】
【００９７】
１１    外科用装置
５０    第２の顎部，下顎部（顎部）
５０ａ，８０ａ  第１の端部
５０ｂ，８０ｂ  遠位端部
８０    第１の顎部，上顎部（顎部）
１５０  第１の駆動部
１８０    駆動ソケット
２５５    ギアハウジング
２６１    第２の駆動部
２６２    切断及びステープル留めアセンブリ（外科用部材）
３１０    駆動ソケット
５１３    ステープルホルダ
５１４    ステープルプッシャ
６３０    駆動軸
６３２    第２の駆動軸
【図１Ａ】
2009502351.tif 000003
【図１Ｂ】
2009502351.tif 000004
【図２】
2009502351.tif 000005
【図３】
2009502351.tif 000006
【図４】
2009502351.tif 000007
【図５】
2009502351.tif 000008
【図６】
2009502351.tif 000009
【図７】
2009502351.tif 000010
【図８Ａ】
2009502351.tif 000011
【図８Ｂ】
2009502351.tif 000012
【図８Ｃ】
2009502351.tif 000013
【図８Ｄ】
2009502351.tif 000014
【図８Ｅ】
2009502351.tif 000015
【図９】
2009502351.tif 000016
【図１０】
2009502351.tif 000017
【図１１】
2009502351.tif 000018
【図１２】
2009502351.tif 000019
【図１３】
2009502351.tif 000020
【図１４】
2009502351.tif 000021
【図１５】
2009502351.tif 000022
【図１６】
2009502351.tif 000023
【図１７】
2009502351.tif 000024
【図１８】
2009502351.tif 000025
【図１９】
2009502351.tif 000026
【図２０Ａ】
2009502351.tif 000027
【図２０Ｂ】
2009502351.tif 000028
【図２０Ｃ】
2009502351.tif 000029
【国際調査報告】
2009502351.tif 000030